(57)【特許請求の範囲】
【請求項１】
無線通信システムにおけるアップリンク同期を実行する端末であって、
前記端末は、受信部とＭＡＣ処理部と無線リソース制御(ＲＲＣ)処理部とを含み、
前記受信部は、
基地局(ＢＳ)から媒体アクセス制御(ＭＡＣ)プロトコルデータユニット(ＰＤＵ)を受信するように構成され、
前記ＭＡＣ処理部は、
前記ＭＡＣ  ＰＤＵがＭＡＣヘッダ及びＭＡＣ制御要素(ＣＥ)を含むことを識別し、
前記ＭＡＣヘッダからサブヘッダを取得し、
前記ＭＡＣ  ＣＥがタイミングアドバンスコマンド(ＴＡＣ)のためのものであるかどうかを識別するためのインデックスを示す論理チャネル識別子(ＬＣＩＤ)を前記サブヘッダから取得し、
タイミングアライメント値（ＴＡＶ）と一致するようにアップリンクタイミング調整を制御するためのタイミングアライメントグループ(ＴＡＧ)を識別する２ビットのＴＡＧインデックスフィールド及び前記タイミングアライメント値(ＴＡＶ)を示す６ビットのＴＡＣフィールドを前記ＭＡＣ  ＣＥから取得し、
前記ＴＡＧインデックスフィールドに基づいて前記ＴＡＶが適用される前記ＴＡＧを識別し、
前記識別されたＴＡＧに含まれた全てのサービングセルに対する前記アップリンクタイミング調整を制御するように構成され、
前記無線リソース制御(ＲＲＣ)処理部は、前記端末において構成される各サービングセルを示す第１フィールドと、各サービングセルが属するＴＡＧを示す第２フィールドとを含むＴＡＧ構成情報を前記基地局から受信するように構成されたことを特徴とする端末。
【請求項２】
前記ＭＡＣ処理部は、前記ＴＡＧインデックスフィールドが００に設定される場合、前記ＴＡＧが主サービングセル(ＰＳＣ)を含むことを識別するように構成されることを特徴とする請求項１に記載の端末。
【請求項３】
前記ＭＡＣ処理部は、前記ＬＣＩＤによって指示される前記インデックスが１１１０１に設定される場合、前記ＭＡＣ  ＣＥが前記ＴＡＣフィールドを含むことを識別するように構成されることを特徴とする請求項１に記載の端末。
【請求項４】
無線通信システムにおける端末にアップリンク同期を実行する方法であって、
前記方法は、
前記端末において構成される各サービングセルを示す第１フィールドと各サービングセルが属するタイミングアライメントグループ（ＴＡＧ）を示す第２フィールドとを含むＴＡＧ構成情報を基地局から受信し、
前記基地局(ＢＳ)から媒体アクセス制御(ＭＡＣ)プロトコルデータユニット(ＰＤＵ)を受信し、
前記ＭＡＣ  ＰＤＵがＭＡＣヘッダ及びＭＡＣ制御要素(ＣＥ)を含むことを識別し、
前記ＭＡＣヘッダからサブヘッダを取得し、
前記ＭＡＣ  ＣＥがタイミングアドバンスコマンド(ＴＡＣ)のためのものであるかどうかを識別するためのインデックスを示す論理チャネル識別子(ＬＣＩＤ)を前記サブヘッダから取得し、
タイミングアライメント値(ＴＡＶ）と一致するようにアップリンクタイミング調整を制御するためのタイミングアライメントグループ(ＴＡＧ)を識別する２ビットのＴＡＧインデックスフィールド及び前記タイミングアライメント値(ＴＡＶ)を示す６ビットのＴＡＣフィールドを前記ＭＡＣ  ＣＥから取得し、
前記ＴＡＧインデックスフィールドに基づいて前記ＴＡＶが適用される前記ＴＡＧを識別し、
前記識別されたＴＡＧに含まれた全てのサービングセルに対する前記アップリンクタイミング調整を制御することを特徴とする方法。
【請求項５】
前記ＴＡＧインデックスフィールドが００に設定される場合、前記ＴＡＧは、主サービングセル(ＰＳＣ)を含むように識別されることを特徴とする請求項４に記載の方法。
【請求項６】
前記ＬＣＩＤによって指示される前記インデックスが１１１０１に設定される場合、前記ＭＡＣ  ＣＥは、前記ＴＡＣフィールドを含むように識別されることを特徴とする請求項４に記載の方法。
【請求項７】
無線通信システムにおけるアップリンク同期を実行する基地局(ＢＳ)であって、
前記基地局は、媒体アクセス制御(ＭＡＣ)処理部と送信部と無線リソース制御(ＲＲＣ)処理部とを含み、
前記無線リソース制御(ＲＲＣ)処理部は、端末において構成される各サービングセルを示す第１フィールドと、各サービングセルが属するタイミングアライメントグループ（ＴＡＧ）を示す第２フィールドとを含むＴＡＧ構成情報を生成するように構成され、
前記ＭＡＣ処理部は、
タイミングアライメント値(ＴＡＶ)に一致してアップリンクタイミング調整を制御するためのタイミングアライメントグループ(ＴＡＧ)を識別する２ビットのタイミングアライメントグループ(ＴＡＧ)インデックスフィールド及び前記ＴＡＶを示す６ビットのタイミングアドバンスコマンド(ＴＡＣ)フィールドを生成し、
前記ＭＡＣ  ＣＥ内に前記ＴＡＣフィールド及び前記ＴＡＧインデックスフィールドを含むことによってＭＡＣ制御要素(ＣＥ)を生成し、
前記ＭＡＣ  ＣＥがＴＡＣのためのものであるかどうかを識別するためのインデックスを指示する論理チャネル識別子(ＬＣＩＤ)を設定し、
ヘッダ内に前記ＬＣＩＤを含むサブヘッダを含むことによって前記ヘッダを生成し、
前記ヘッダ及び前記ＭＡＣ  ＣＥを含むＭＡＣプロトコルデータユニット(ＰＤＵ)を生成するように構成され、
前記送信部は、前記ＴＡＧ構成情報および前記ＭＡＣ  ＰＤＵを端末(ＵＥ)に送信するように構成されたことを特徴とする基地局。
【請求項８】
前記ＭＡＣ処理部は、前記ＴＡＧ内に主サービングセル(ＰＳＣ)を含むように前記ＴＡＧインデックスフィールドを００に設定するように構成されることを特徴とする請求項７に記載の基地局。
【請求項９】
前記ＭＡＣ処理部は、前記ＭＡＣ  ＣＥが前記ＴＡＣフィールドを含むことを示すように前記ＬＣＩＤによって指示された前記インデックスを１１１０１に設定するように構成されることを特徴とする請求項７に記載の基地局。
【請求項１０】
無線通信システムにおける基地局(ＢＳ)によってアップリンク同期を実行する方法であって、
前記方法は、
端末において構成される各サービングセルを示す第１フィールドと、各サービングセルが属するタイミングアライメントグループ（ＴＡＧ）を示す第２フィールドとを含むＴＡＧ構成情報を生成し、
タイミングアライメント値(ＴＡＶ)に一致してアップリンクタイミング調整を制御するためのタイミングアライメントグループ(ＴＡＧ)を識別する２ビットのタイミングアライメントグループ(ＴＡＧ)インデックスフィールド及び前記ＴＡＶを示す６ビットのタイミングアドバンスコマンド(ＴＡＣ)フィールドを生成し、
前記ＭＡＣ  ＣＥ内に前記ＴＡＣフィールド及び前記ＴＡＧインデックスフィールドを含むことによってＭＡＣ制御要素(ＣＥ)を生成し、
前記ＭＡＣ  ＣＥがＴＡＣのためのものであるかどうかを識別するためのインデックスを指示する論理チャネル識別子(ＬＣＩＤ)を設定し、
ヘッダ内に前記ＬＣＩＤを含むサブヘッダを含むことによって前記ヘッダを生成し、
前記ヘッダ及び前記ＭＡＣ  ＣＥを含むＭＡＣプロトコルデータユニット(ＰＤＵ)を生成し、
前記ＴＡＧ構成情報および前記ＭＡＣ  ＰＤＵを端末(ＵＥ)に送信することを特徴とする方法。
【請求項１１】
前記ＴＡＧインデックスフィールドが００に設定される場合、前記ＴＡＧは、主サービングセル(ＰＳＣ)を含むように識別されることを特徴とする請求項１０に記載の方法。
【請求項１２】
前記ＬＣＩＤによって指示された前記インデックスが１１１０１に設定される場合、前記ＭＡＣ  ＣＥは、前記ＴＡＣフィールドを含むように識別されることを特徴とする請求項１０に記載の方法。
【発明の詳細な説明】
【技術分野】
【０００１】
本発明は、無線通信に関し、より詳しくは、無線通信システムにおけるアップリンク同期の実行装置及び方法に関する。
【背景技術】
【０００２】
一般的な無線通信システムにおいて、アップリンクとダウンリンクとの間の帯域幅は互いに異なるように設定されても、主に一つのキャリア(ｃａｒｒｉｅｒ)のみを考慮している。３ＧＰＰ(３ｒｄ  Ｇｅｎｅｒａｔｉｏｎ  Ｐａｒｔｎｅｒｓｈｉｐ  Ｐｒｏｊｅｃｔ)ＬＴＥ(ｌｏｎｇ  ｔｅｒｍ  ｅｖｏｌｕｔｉｏｎ)においても、アップリンクとダウンリンクを構成するキャリアの数が１個であり、単一キャリアに基づいて、アップリンクの帯域幅とダウンリンクの帯域幅が一般的に互いに対称的である。最近多重キャリアシステム(ｍｕｌｔｉｐｌｅ  ｃａｒｒｉｅｒ  ｓｙｓｔｅｍ)が導入された。
【０００３】
多重キャリアシステムは、キャリアアグリゲーション(ｃａｒｒｉｅｒ  ａｇｇｒｅｇａｔｉｏｎ：ＣＡ)をサポートすることができる無線通信システムを意味する。キャリアアグリゲーションとは、セグメント化された小さい帯域を効率的に使用するための技術であり、周波数領域で物理的に非連続的な(ｎｏｎ−ｃｏｎｔｉｎｕｏｕｓ)複数個のバンドを束ねることで、論理的に大きい帯域のバンドを使用する効果がある。
【０００４】
端末がネットワーク(ｎｅｔｗｏｒｋ)に接続するためにはランダムアクセス(ｒａｎｄｏｍ  ａｃｃｅｓｓ)手順を経る。ランダムアクセス手順は、コンテンションベースのランダムアクセス手順(ｃｏｎｔｅｎｔｉｏｎ  ｂａｓｅｄ  ｒａｎｄｏｍ  ａｃｃｅｓｓ  ｐｒｏｃｅｄｕｒｅ)と非コンテンションベースのランダムアクセス手順(ｎｏｎ−ｃｏｎｔｅｎｔｉｏｎ  ｂａｓｅｄ  ｒａｎｄｏｍ  ａｃｃｅｓｓ  ｐｒｏｃｅｄｕｒｅ)とに区分されることができる。コンテンションベースのランダムアクセス手順と非コンテンションベースのランダムアクセス手順の最も大きい相違点は、ランダムアクセスプリアンブル(ｒａｎｄｏｍ  ａｃｃｅｓｓ  ｐｒｅａｍｂｌｅ)が一つの端末に専用(ｄｅｄｉｃａｔｅｄ)に指定されるかどうかである。非コンテンションベースのランダムアクセス手順では、端末が自分にのみ指定された専用ランダムアクセスプリアンブルを使用するため、他の端末とのコンテンション（競合）(又は、コリジョン（衝突）)が発生しない。ここで、コンテンションとは、２個以上の端末が同じリソースを介して同じランダムアクセスプリアンブルを使用してランダムアクセス手順を試みることを意味する。コンテンションベースのランダムアクセス手順では、端末が任意に選択したランダムアクセスプリアンブルを使用するため、コンテンションの可能性が存在する。
【０００５】
端末がネットワークにランダムアクセス手順を実行する目的は、初期接続(ｉｎｉｔｉａｌ  ａｃｃｅｓｓ)、ハンドオーバ(ｈａｎｄｏｖｅｒ)、無線リソース要求(ｓｃｈｅｄｕｌｉｎｇ  ｒｅｑｕｅｓｔ)、タイミングアライメント(ｔｉｍｉｎｇ  ａｌｉｇｎｍｅｎｔ)などがある。
【０００６】
従来の単一キャリアシステムにおいて、端末のランダムアクセスは、一つのキャリアを利用してランダムアクセスを実行した。しかし、最近、ＣＡサポートと関連し、端末は、多重コンポーネントキャリア(ｍｕｌｔｉｐｌｅ  ｃｏｍｐｏｎｅｎｔ  ｃａｒｒｉｅｒ)でのランダムアクセスをサポートすることができる。多重コンポーネントキャリアシステムでの端末の具体的なランダムアクセスが必要とされている。
【発明の概要】
【発明が解決しようとする課題】
【０００７】
本発明の技術的課題は、無線通信システムにおいて、アップリンク同期の実行装置及び方法を提供することである。
【０００８】
本発明の他の技術的課題は、無線通信システムにおいて、アップリンク同期を実行するためのグループ及びタイミングアライメント値を含むメッセージを構成する装置及び方法を提供することである。
【０００９】
本発明の他の技術的課題は、複数の副サービングセルに共通的に適用されるタイミングアライメント値を送信する装置及び方法を提供することである。
【００１０】
本発明の他の技術的課題は、一つのメッセージを介して複数の副サービングセルに共通的に適用されるタイミングアライメント値を取得する装置及び方法を提供することである。
【００１１】
本発明の他の技術的課題は、副サービングセルグループ別のタイミングアライメント値を含むＭＡＣ（Ｍｅｄｉｕｍ  Ａｃｃｅｓｓ  Ｃｏｎｔｒｏｌ）メッセージを送信する装置及び方法を提供することである。
【００１２】
本発明の他の技術的課題は、同じタイミングアライメント値が適用される副サービングセルを含むグループを分類する装置及び方法を提供することである。
【００１３】
本発明の他の技術的課題は、同じタイミングアライメント値が適用される副サービングセルを含むグループを指示するメッセージを生成する装置及び方法を提供することである。
【００１４】
本発明の他の技術的課題は、ＭＡＣメッセージから副サービングセルを含むグループ別のタイミングアライメント値を確認する装置及び方法を提供することである。
【課題を解決するための手段】
【００１５】
本発明の一態様によると、無線通信システムにおけるランダムアクセス(ｒａｎｄｏｍ  ａｃｃｅｓｓ)を実行する端末を提供する。前記端末は、端末に構成された少なくとも一つのサービングセルをタイミングアライメントグループ(ｔｉｍｉｎｇ  ａｌｉｇｎｍｅｎｔ  ｇｒｏｕｐ：ＴＡＧ)に分類するタイミングアライメントグループ構成情報を基地局から受信する受信部、及び前記タイミングアライメントグループ内の一つの代表サービングセル上でランダムアクセスプリアンブル(ｐｒｅａｍｂｌｅ)を前記基地局に送信する送信部を含む。
【００１６】
前記受信部は、前記ランダムアクセスプリアンブルに対する応答として、タイミングアドバンスコマンド（ＴＡＣ）フィールドを含むランダムアクセス応答メッセージを前記基地局から受信し、前記タイミングアドバンスコマンドフィールドは、前記タイミングアライメントグループ内の全体サービングセルのアップリンクタイミングを同一に調整するタイミングアライメント値を指示する。
【００１７】
本発明の他の態様によると、無線通信システムにおける端末によるランダムアクセスの実行方法を提供する。前記ランダムアクセスの実行方法は、端末に構成された少なくとも一つのサービングセルをタイミングアライメントグループに分類するタイミングアライメントグループ構成情報を基地局から受信するステップ、前記タイミングアライメントグループ内の一つの代表サービングセル上でランダムアクセスプリアンブルを前記基地局に送信するステップ、及び前記ランダムアクセスプリアンブルに対する応答として、タイミングアドバンスコマンドフィールドを含むランダムアクセス応答メッセージを前記基地局から受信するステップを含む。
【００１８】
前記タイミングアドバンスコマンドフィールドは、前記タイミングアライメントグループ内の全体サービングセルのアップリンクタイミングを同一に調整するタイミングアライメント値を指示する。
【００１９】
本発明の他の態様によると、無線通信システムにおけるランダムアクセスを実行する基地局を提供する。前記基地局は、端末に構成された少なくとも一つのサービングセルをタイミングアライメントグループに分類するタイミングアライメントグループ構成情報を生成するＲＲＣ（Ｒａｄｉｏ  Ｒｅｓｏｕｒｃｅ  Ｃｏｎｔｒｏｌ）処理部、前記ＴＡＧ構成情報を前記端末に送信する送信部、前記タイミングアライメントグループ内の一つの代表サービングセル上でランダムアクセスプリアンブルを前記端末から受信する受信部、前記ランダムアクセスプリアンブルに対する応答として、前記タイミングアライメントグループ内の全体サービングセルのアップリンクタイミングを同一に調整するタイミングアライメント値を指示するタイミングアドバンスコマンドフィールドを含むランダムアクセス応答メッセージを生成するランダムアクセス処理部、及び前記ランダムアクセス応答メッセージを前記端末に送信する送信部を含む。
【００２０】
本発明の他の態様によると、無線通信システムにおける基地局によるランダムアクセスの実行方法を提供する。前記ランダムアクセスの実行方法は、端末に構成された少なくとも一つのサービングセルタイミングアライメントグループに分類するタイミングアライメントグループ構成情報を前記端末に送信するステップ、前記タイミングアライメントグループ内の一つの代表サービングセル上でランダムアクセスプリアンブルを前記端末から受信するステップ、及び前記ランダムアクセスプリアンブルに対する応答として、前記タイミングアライメントグループ内の全体サービングセルのアップリンクタイミングを同一に調整するタイミングアライメント値を指示するタイミングアドバンスコマンドフィールドを含むランダムアクセス応答メッセージを前記端末に送信するステップを含む。
【発明の効果】
【００２１】
本明細書によると、アップリンクタイミング同期の確保及び維持のためにサービングセルに対してタイミングアライメント値を取得する手順が明確になり、サービングセルに対するアップリンク同期を取得する時間を減らすことができ、複数のサービングセルに対するタイミングアライメント値を取得することによってオーバーヘッドを減らすことができる。
【図面の簡単な説明】
【００２２】
添付図面は、本明細書の理解のために含まれ、本明細書の一部を構成している。図面は、本文書の実施例を説明し、明細書と共に本文書の原理の説明のために示す。
【図１】本発明が適用される無線通信システムを示す。
【図２】本発明が適用される多重キャリアをサポートするためのプロトコル構造の一例を示す。
【図３】本発明が適用される多重キャリア動作のためのフレーム構造の一例を示す。
【図４】本発明が適用される多重キャリアシステムの概念を簡略に示す。
【図５】本発明の一例に係るタイミングアライメントグループ構成情報の送信方法を説明するフローチャートである。
【図６】本発明の他の例に係るタイミングアライメントグループ構成情報の送信方法を説明するフローチャートである。
【図７】本発明の他の例に係るタイミングアライメントグループ構成情報の送信方法を説明するフローチャートである。
【図８】本発明の他の例に係るタイミングアライメントグループ構成情報の送信方法を説明するフローチャートである。
【図９】本発明の一例に係るＭＡＣサブヘッダを示す。
【図１０】本発明の一例に係るＴＡＧのためのＭＡＣ制御要素を示す。
【図１１】本発明の他の例に係るＴＡＧのためのＭＡＣ制御要素を示す。
【図１２】本発明の一例に係るランダムアクセス手順を利用してタイミングアライメントコマンド(ＴＡＣ)の受信を説明するフローチャートである。
【図１３】本発明によるＤＣＩがＥＰＤＣＣＨにマッピングされる一例を示す。
【図１４】本発明によるＤＣＩが拡張されたＥＰＤＣＣＨにマッピングされる他の例を示す。
【図１５】本発明によるＤＣＩが拡張された物理ダウンリンク制御チャネルにマッピングされる他の例を示す。
【図１６】本発明の他の例に係るランダムアクセス手順を使用したＴＡＣの受信を説明するフローチャートである。
【図１７】本発明が適用されるＭＡＣ  ＰＤＵ構造を示す。
【図１８】本発明の一例に係るタイミングアドバンスコマンドのためのＭＡＣ制御要素を示すブロック図である。
【図１９】本発明の他の例に係るタイミングアドバンスコマンドのためのＭＡＣ制御要素を示すブロック図である。
【図２０】本発明の他の例に係るタイミングアドバンスコマンドのためのＭＡＣ制御要素を示すブロック図である。
【図２１】本発明の他の例に係るタイミングアドバンスコマンドのためのＭＡＣ制御要素を示すブロック図である。
【図２２】本発明の他の例に係るタイミングアドバンスコマンドのためのＭＡＣ制御要素を示すブロック図である。
【図２３】本発明の一例に係るアップリンク同期を実行する端末の動作を説明するフローチャートである。
【図２４】本発明の一例に係るアップリンク同期を実行する基地局の動作を説明するフローチャートである。
【図２５】本発明による多重ＣＣシステムにおいて、タイミングアライメント値を利用してアップリンク同期を実行する方法を説明する説明図である。
【図２６】本発明の一例に係るランダムアクセスを実行する装置を示すブロック図である。
【発明を実施するための形態】
【００２３】
以下、本明細書では一部実施例を例示図面を介して詳細に説明する。各図面の構成要素に参照符号を付加するにあたって、同じ構成要素に対しては、たとえ他の図面上に表示されても、可能のかぎり同じ符号を有することに留意しなければならない。また、本明細書の実施例を説明するにあたって、関連した公知構成又は機能に対する具体的な説明が本明細書の要旨を不明にすると判断される場合にはその詳細な説明は省略する。
【００２４】
また、本明細書は、無線通信ネットワークを対象に説明し、無線通信ネットワークで行われる作業は、その無線通信ネットワークを管轄するシステム(例えば、基地局)でネットワークを制御してデータを送信する過程で行われ、又はその無線ネットワークに結合した端末で作業が行われることができる。
【００２５】
図１は、本発明が適用される無線通信システムを示す。
【００２６】
図１を参照すると、無線通信システム１０は、音声、パケットデータなどのような多様な通信サービスを提供するために広く配置される。無線通信システム１０は、少なくとも一つの基地局(Ｂａｓｅ  Ｓｔａｔｉｏｎ、ＢＳ)１１を含む。各基地局１１は、特定のセル(ｃｅｌｌ)１５ａ、１５ｂ、１５ｃに対して通信サービスを提供する。また、セルは、複数の領域(セクターという)に分けられることができる。
【００２７】
端末(ｕｓｅｒ  ｅｑｕｉｐｍｅｎｔ、ＵＥ)１２は、固定されてもよいし、移動性を有してもよく、ＵＳ(ｕｓｅｒ  ｓｔａｔｉｏｎ)、ＭＴ(ｍｏｂｉｌｅ  ｔｅｒｍｉｎａｌ)、ＵＴ(ｕｓｅｒ  ｔｅｒｍｉｎａｌ)、ＳＳ(ｓｕｂｓｃｒｉｂｅｒ  ｓｔａｔｉｏｎ)、無線機器(ｗｉｒｅｌｅｓｓ  ｄｅｖｉｃｅ)、ＰＤＡ(ｐｅｒｓｏｎａｌ  ｄｉｇｉｔａｌ  ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)等、他の用語で呼ばれることもある。基地局１１は、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、フェムト(ｆｅｍｔｏ)基地局、ホーム基地局(Ｈｏｍｅ  ｎｏｄｅＢ)、リレイ(ｒｅｌａｙ)等、他の用語で呼ばれることもある。セルは、基地局１１がカバーする一部領域を示す包括的な意味で解釈されなければならず、メガセル、マクロセル、マイクロセル、ピコセル、フェムトセル等、多様なカバレッジ領域を全部包括する意味である。
【００２８】
以下、ダウンリンク(ｄｏｗｎｌｉｎｋ)は基地局１１から端末１２への通信を意味し、アップリンク(ｕｐｌｉｎｋ)は端末１２から基地局１１への通信を意味する。ダウンリンクにおいて、送信機は基地局１１の一部分であり、受信機は端末１２の一部分である。アップリンクにおいて、送信機は端末１２の一部分であり、受信機は基地局１１の一部分である。無線通信システムに適用される多重接続方式には制限がない。ＣＤＭＡ(Ｃｏｄｅ  Ｄｉｖｉｓｉｏｎ  Ｍｕｌｔｉｐｌｅ  Ａｃｃｅｓｓ)、ＴＤＭＡ(Ｔｉｍｅ  Ｄｉｖｉｓｉｏｎ  Ｍｕｌｔｉｐｌｅ  Ａｃｃｅｓｓ)、ＦＤＭＡ(Ｆｒｅｑｕｅｎｃｙ  Ｄｉｖｉｓｉｏｎ  Ｍｕｌｔｉｐｌｅ  Ａｃｃｅｓｓ)、ＯＦＤＭＡ(Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)、ＳＣ−ＦＤＭＡ(Ｓｉｎｇｌｅ  Ｃａｒｒｉｅｒ−ＦＤＭＡ)、ＯＦＤＭ−ＦＤＭＡ、ＯＦＤＭ−ＴＤＭＡ、ＯＦＤＭ−ＣＤＭＡのような多様な多重接続方式を使用することができる。アップリンク送信及びダウンリンク送信は、互いに異なる時間を使用して送信されるＴＤＤ(Ｔｉｍｅ  Ｄｉｖｉｓｉｏｎ  Ｄｕｐｌｅｘ)方式が使われることができ、又は互いに異なる周波数を使用して送信されるＦＤＤ(Ｆｒｅｑｕｅｎｃｙ  Ｄｉｖｉｓｉｏｎ  Ｄｕｐｌｅｘ)方式が使われることができる。
【００２９】
キャリアアグリゲーション(ｃａｒｒｉｅｒ  ａｇｇｒｅｇａｔｉｏｎ：ＣＡ)は、複数のＣＣをサポートすることであり、スペクトラムアグリゲーション又は帯域幅アグリゲーション(ｂａｎｄｗｉｄｔｈ  ａｇｇｒｅｇａｔｉｏｎ)とも呼ばれる。ＣＡにより束ねられる個別的な単位キャリアをコンポーネントキャリア(ｃｏｍｐｏｎｅｎｔ  ｃａｒｒｉｅｒ：ＣＣ)という。各コンポーネントキャリアは、帯域幅と中心周波数により定義される。キャリアアグリゲーションは、増加されるスループット(ｔｈｒｏｕｇｈｐｕｔ)をサポートし、広帯域ＲＦ(ｒａｄｉｏ  ｆｒｅｑｕｅｎｃｙ)素子の導入による費用増加を防止し、従来のシステムとの互換性を保障するために導入される。例えば、２０ＭＨｚ帯域幅を有するキャリア単位のグラニュラリティ(ｇｒａｎｕｌａｒｉｔｙ)として５個のコンポーネントキャリアが割り当てられる場合、最大１００ＭＨｚの帯域幅をサポートすることができる。
【００３０】
コンポーネントキャリアの大きさ(即ち、帯域幅)が互いに異なることもある。例えば、７０ＭＨｚ帯域の構成のために５個のコンポーネントキャリアが使われる場合、５ＭＨｚコンポーネントキャリア(ｃａｒｒｉｅｒ＃０)＋２０ＭＨｚコンポーネントキャリア(ｃａｒｒｉｅｒ＃１)＋２０ＭＨｚコンポーネントキャリア(ｃａｒｒｉｅｒ＃２)＋２０ＭＨｚコンポーネントキャリア(ｃａｒｒｉｅｒ＃３)＋５ＭＨｚコンポーネントキャリア(ｃａｒｒｉｅｒ＃４)のように構成されることもできる。
【００３１】
以下、多重コンポーネントキャリア(ｍｕｌｔｉｐｌｅ  ｃｏｍｐｏｎｅｎｔ  ｃａｒｒｉｅｒ)システムとは、キャリアアグリゲーションをサポートするシステムを意味する。多重コンポーネントキャリアシステムにおいて、隣接キャリアアグリゲーション及び/又は非隣接キャリアアグリゲーションが使われてもよく、また、対称的アグリゲーション又は非対称的アグリゲーションのいずれも使われてもよい。
【００３２】
図２は、本発明が適用される多重キャリアをサポートするためのプロトコル構造の一例を示す。
【００３３】
図２を参照すると、ＭＡＣ(Ｍｅｄｉｕｍ  Ａｃｃｅｓｓ  Ｃｏｎｔｒｏｌ)エンティティ２１０は、複数のキャリアを利用する物理階層(ｐｈｙｓｉｃａｌ  ｌａｙｅｒ：：：：：ＰＨＹ)２２０を管理する。特定キャリアで送信されるＭＡＣ管理メッセージは、他のキャリアに適用されることができる。即ち、ＭＡＣ管理メッセージは、特定キャリアを含んで他のキャリアを制御することができるメッセージである。物理階層２２０は、ＴＤＤ(Ｔｉｍｅ  Ｄｉｖｉｓｉｏｎ  Ｄｕｐｌｅｘ)及び/又はＦＤＤ(Ｆｒｅｑｕｅｎｃｙ  Ｄｉｖｉｓｉｏｎ  Ｄｕｐｌｅｘ)で動作することができる。
【００３４】
物理階層２２０で使われる複数個の物理制御チャネルがある。ＰＤＣＣＨ(Ｐｈｙｓｉｃａｌ  Ｄｏｗｎｌｉｎｋ  Ｃｏｎｔｒｏｌ  Ｃｈａｎｎｅｌ)は、端末にＰＣＨ(Ｐａｇｉｎｇ  ＣＨａｎｎｅｌ)とＤＬ−ＳＣＨ(ｄｏｗｎｌｉｎｋ  ｓｈａｒｅｄ  ｃｈａｎｎｅｌ)のリソース割当及びＤＬ−ＳＣＨと関連したＨＡＲＱ(Ｈｙｂｒｉｄ  Ａｕｔｏｍａｔｉｃ  Ｒｅｐｅａｔ  Ｒｅｑｕｅｓｔ)情報を知らせる。ＰＤＣＣＨは、端末にアップリンク送信のリソース割当を知らせるアップリンクグラント(ｕｐｌｉｎｋ  ｇｒａｎｔ)を伝送することができる。ＰＣＦＩＣＨ(Ｐｈｙｓｉｃａｌ  Ｃｏｎｔｒｏｌ  Ｆｏｒｍａｔ  Ｉｎｄｉｃａｔｏｒ  Ｃｈａｎｎｅｌ)は、端末にＰＤＣＣＨに使われるＯＦＤＭシンボルの数を知らせ、サブフレーム毎に送信される。ＰＨＩＣＨ(Ｐｈｙｓｉｃａｌ  Ｈｙｂｒｉｄ  ＡＲＱ  Ｉｎｄｉｃａｔｏｒ  Ｃｈａｎｎｅｌ)は、アップリンク送信の応答としてＨＡＲＱ  ＡＣＫ/ＮＡＫ信号を伝送する。ＰＵＣＣＨ(Ｐｈｙｓｉｃａｌ  Ｕｐｌｉｎｋ  Ｃｏｎｔｒｏｌ  Ｃｈａｎｎｅｌ)は、ダウンリンク送信に対するＨＡＲＱ  ＡＣＫ/ＮＡＫ、スケジューリング要求及びＣＱＩのようなアップリンク制御情報を伝送する。ＰＵＳＣＨ(Ｐｈｙｓｉｃａｌ  Ｕｐｌｉｎｋ  Ｓｈａｒｅｄ  Ｃｈａｎｎｅｌ)は、ＵＬ−ＳＣＨ(ｕｐｌｉｎｋ  ｓｈａｒｅｄ  ｃｈａｎｎｅｌ)を伝送する。ＰＲＡＣＨ(Ｐｈｙｓｉｃａｌ  Ｒａｎｄｏｍ  Ａｃｃｅｓｓ  Ｃｈａｎｎｅｌ)は、ランダムアクセスプリアンブルを伝送する。
【００３５】
図３は、本発明が適用される多重キャリア動作のためのフレームフォーマットの一例を示す。
【００３６】
図３を参照すると、フレームは、１０個のサブフレームで構成される。サブフレームは、複数のＯＦＤＭシンボルを含む。各キャリアは、自分の制御チャネル(例えば、ＰＤＣＣＨ)を伝送(ｃａｒｒｙ)することができる。多重キャリアは、互いに隣接してもよく、隣接しなくてもよい。端末は、自分の性能によって一つ又はそれ以上のキャリアをサポートすることができる。ここで、ダウンリンクコンポーネントキャリアを介して制御情報(ＰＤＣＣＨ)が送信される領域を指示するために、ＰＣＦＩＣＨは、複数のＯＦＤＭシンボルのうち１番目のシンボルにマッチングされる。
【００３７】
図４は、本発明が適用される多重キャリアシステムの概念を簡略に示す。
【００３８】
図４を参照すると、一例として、ダウンリンクコンポーネントキャリアＤ１、Ｄ２、Ｄ３が集約されて(ａｇｇｒｅｇａｔｅｄ)おり、アップリンクコンポーネントキャリアＵ１、Ｕ２、Ｕ３が集約されている。ここで、Ｄｉはダウンリンクコンポーネントキャリアのインデックスであり、Ｕｉはアップリンクコンポーネントキャリアのインデックスである(ｉ＝１,２,３)。各インデックスは、コンポーネントキャリアの順序又はそのコンポーネントキャリアの周波数帯域の位置に一致するものではない。
【００３９】
一方、少なくとも一つのダウンリンクコンポーネントキャリアは主コンポーネントキャリアであり、残りは副コンポーネントキャリアである。また、少なくとも一つのアップリンクコンポーネントキャリアは主コンポーネントキャリアであり、残りは副コンポーネントキャリアである。例えば、Ｄ１、Ｕ１は主コンポーネントキャリアであり、Ｄ２、Ｕ２、Ｄ３、Ｕ３は副コンポーネントキャリアである。
【００４０】
ここで、主コンポーネントキャリアのインデックスは０に設定されることができ、その以外の自然数のうち一つが副コンポーネントキャリアのインデックスである。また、ダウンリンク/アップリンクコンポーネントキャリアのインデックスは、そのダウンリンク/アップリンクコンポーネントキャリアが含まれているコンポーネントキャリア(又は、サービングセル)のインデックスと同一に設定されることができる。他の例として、コンポーネントキャリアインデックス又は副コンポーネントキャリアインデックスのみが設定され、そのコンポーネントキャリアに含まれているアップリンク/アップリンクコンポーネントキャリアインデックスは存在しない。
【００４１】
ＦＤＤシステムにおいて、ダウンリンクコンポーネントキャリアとアップリンクコンポーネントキャリアは１対１に接続設定される。例えば、Ｄ１はＵ１と、Ｄ２はＵ２と、Ｄ３はＵ３と、各々、１対１に接続設定される。端末は、論理チャネルＢＣＣＨが送信するシステム情報又はＤＣＣＨが送信する端末専用ＲＲＣメッセージを介し、ダウンリンクコンポーネントキャリアとアップリンクコンポーネントキャリアとの間の接続設定をする。このような接続をＳＩＢ１(Ｓｙｓｔｅｍ  Ｉｎｆｏｒｍａｔｉｏｎ  Ｂｌｏｃｋ  １)接続又はＳＩＢ２(Ｓｙｓｔｅｍ  Ｉｎｆｏｒｍａｔｉｏｎ  Ｂｌｏｃｋ  ２)接続という。各接続設定は、セルを特定する方法で(ｃｅｌｌ  ｓｐｅｃｉｆｉｃ)設定することもでき、端末を特定する方法で(ＵＥ  ｓｐｅｃｉｆｉｃ)設定することもできる。一例として、主コンポーネントキャリアは、セル特定に設定され、副コンポーネントキャリアは、端末特定に設定されることができる。
【００４２】
ここで、ダウンリンクコンポーネントキャリアとアップリンクコンポーネントキャリアは、１対１の接続設定はもちろんであり、１対ｎ又はｎ対１の接続設定も成立することができる。
【００４３】
主サービングセルに対応するダウンリンクコンポーネントキャリアをダウンリンク主コンポーネントキャリア(ＤＬ  ＰＣＣ)といい、主サービングセルに対応するアップリンクコンポーネントキャリアをアップリンク主コンポーネントキャリア(ＵＬ  ＰＣＣ)という。また、ダウンリンクにおいて、副サービングセルに対応するコンポーネントキャリアをダウンリンク副コンポーネントキャリア(ＤＬ  ＳＣＣ)といい、アップリンクにおいて、副サービングセルに対応するコンポーネントキャリアをアップリンク副コンポーネントキャリア(ＵＬ  ＳＣＣ)という。一つのサービングセルにはダウンリンクコンポーネントキャリアのみが対応することもでき、ＤＬ  ＣＣとＵＬ  ＣＣが共に対応することもできる。
【００４４】
主サービングセル(Ｐｒｉｍａｒｙ  Ｓｅｒｖｉｎｇ  Ｃｅｌｌ：ＰＳＣ)は、ＲＲＣ接続(ｅｓｔａｂｌｉｓｈｍｅｎｔ)又は再接続(ｒｅ−ｅｓｔａｂｌｉｓｈｍｅｎｔ)状態で、セキュリティ入力(ｓｅｃｕｒｉｔｙ  ｉｎｐｕｔ)とＮＡＳ移動情報(ｍｏｂｉｌｉｔｙ  ｉｎｆｏｒｍａｔｉｏｎ)を提供する一つのサービングセルを意味する。端末の性能(ｃａｐａｂｉｌｉｔｉｅｓ)によって、少なくとも一つのセルが主サービングセルと共にサービングセルのセットを形成するように構成されることができ、少なくとも一つのセルを副サービングセル(Ｓｅｃｏｎｄａｒｙ  Ｓｅｒｖｉｎｇ  Ｃｅｌｌ：ＳＳＣ)という。したがって、一つの端末に対して設定されたサービングセルのセットは、一つの主サービングセルのみで構成され、又は一つの主サービングセルと少なくとも一つの副サービングセルで構成されることができる。
【００４５】
前述したように、多重コンポーネントキャリアシステムにおいて、端末と基地局との間の通信がＤＬ  ＣＣ又はＵＬ  ＣＣを介して行われることは、端末と基地局との間の通信がサービングセルを介して行われることと同等な概念である。例えば、本発明によってランダムアクセス手順を実行する方法において、端末がＵＬ  ＣＣを使用してプリアンブルを送信する概念は、端末がＰＳＣ又はＳＳＣを利用してプリアンブルを送信することと同じ概念と見なされる。さらに、端末がＤＬ情報をＤＬ  ＣＣを利用して受信する概念は、端末がＰＳＣ又はＳＳＣを利用してＤＬ情報を受信することと同じ概念と見なされる。
【００４６】
主サービングセルと副サービングセルは、下記のような特徴を有する。
【００４７】
第一に、主サービングセルは、ＰＵＣＣＨの送信のために使われる。それに対し、副サービングセルは、ＰＵＣＣＨを送信することができないが、ＰＵＣＣＨ内の情報のうち一部制御情報を、ＰＵＳＣＨを介して送信することができる。
【００４８】
第二に、主サービングセルは、常に活性化されており、それに対し、副サービングセルは、特定条件によって活性化/非活性化されるキャリアである。特定条件は、ｅＮＢの活性化/非活性化ＭＡＣ  ＣＥメッセージを受信した場合、又は端末内の非活性化タイマが満了された場合である。
【００４９】
第三に、主サービングセルが無線リンク失敗(Ｒａｄｉｏ  Ｌｉｎｋ  Ｆａｉｌｕｒｅ：以下、ＲＬＦ)を経験する時は、ＲＲＣ再接続がトリガリング(ｔｒｉｇｇｅｒｉｎｇ)されるが、副サービングセルがＲＬＦを経験する時は、ＲＲＣ再接続がトリガリングされない。無線リンク失敗は、ダウンリンク性能が閾値以下に一定時間以上維持される場合又はＲＡＣＨが閾値以上の回数ほど失敗した場合に発生する。
【００５０】
第四に、主サービングセルは、セキュリティキー(ｓｅｃｕｒｉｔｙ  ｋｅｙ)変更やＲＡＣＨ手順と伴うハンドオーバ手順によって変更されることができる。ただ、ＣＲ(Ｃｏｎｔｅｎｔｉｏｎ  Ｒｅｓｏｌｕｔｉｏｎ)メッセージの場合、ＣＲを指示するＰＤＣＣＨのみが主サービングセルを介して送信されなければならず、ＣＲ情報は、主サービングセル又は副サービングセルを介して送信されることができる。
【００５１】
第五に、ＮＡＳ(ｎｏｎ−ａｃｃｅｓｓ  ｓｔｒａｔｕｍ)情報は、主サービングセルを介して受信する。
【００５２】
第六に、常に主サービングセルは、ＤＬ  ＰＣＣとＵＬ  ＰＣＣが対(ｐａｉｒ)で構成される。
【００５３】
第七に、端末毎に異なるＣＣを主サービングセルとして設定することができる。
【００５４】
第八に、副サービングセルの再設定(ｒｅｃｏｎｆｉｇｕｒａｔｉｏｎ)、追加(ａｄｄｉｎｇ)及び除去(ｒｅｍｏｖａｌ)のような手順は、無線リソース制御(ＲＲＣ)階層により実行されることができる。新規副サービングセルの追加において、専用(ｄｅｄｉｃａｔｅｄ)副サービングセルのシステム情報の送信にＲＲＣシグナリングが使われることができる。
【００５５】
第九に、主サービングセルは、制御情報を送信する領域内で特定端末に限って制御情報を送信するために設定された端末−特定検索空間(ＵＥ−ｓｐｅｃｉｆｉｃ  ｓｅａｒｃｈ  ｓｐａｃｅ)に割り当てられるＰＤＣＣＨ(例えば、ダウンリンク割当情報又はアップリンクグラント情報)及びセル内の全ての端末又は特定条件に合う複数の端末に制御情報を送信するために設定された共用検索空間(Ｃｏｍｍｏｎ  Ｓｅａｒｃｈ  Ｓｐａｃｅ：ＣＳＳ)に割り当てられるＰＤＣＣＨ(例えば、システム情報(ＳＩ)、ランダムアクセス応答(ＲＡＲ)、送信電力制御(Ｔｒａｎｓｍｉｔ  Ｐｏｗｅｒ  Ｃｏｎｔｒｏｌ：ＴＰＣ)を全部提供することができる。それに対し、副サービングセルは、端末−特定検索空間のみが設定されることができる。即ち、端末は、副サービングセルを介して共用検索空間を確認することができないため、共用検索空間を介してのみ送信される制御情報及び制御情報が指示するデータ情報を受信することができない。
【００５６】
副サービングセルのうち、共用検索空間(ＣＳＳ)が定義されることができる副サービングセルが定義され、このような副サービングセルを特殊副サービングセル(ｓｐｅｃｉａｌ  ＳＳＣ)という。特殊副サービングセルは、交差キャリアスケジューリング(ｃｒｏｓｓ  ｃａｒｒｉｅｒ  ｓｃｈｅｄｕｌｉｎｇ)時、常にスケジューリングセルに設定される。また、主サービングセルに設定されるＰＵＣＣＨが特殊副サービングセルに対して定義されることができる。
【００５７】
特殊副サービングセルに対するＰＵＣＣＨは、特殊副サービングセル構成時、固定的に設定されることもでき、又は基地局がその副サービングセルに対する再構成時、ＲＲＣシグナリング(ＲＲＣ再構成メッセージ)により割当(構成)又は解除されることもできる。
【００５８】
特殊副サービングセルに対するＰＵＣＣＨは、そのｓＴＡＧ内に存在する副サービングセルのＡＣＫ/ＮＡＣＫ情報又はＣＱＩ(Ｃｈａｎｎｅｌ  Ｑｕａｌｉｔｙ  Ｉｎｆｏｒｍａｔｉｏｎ)を含み、前述したように、基地局によりＲＲＣシグナリングを介して構成されることができる。
【００５９】
また、基地局は、複数の副サービングセルのうち、一つの特殊副サービングセルを構成してもよく、特殊副サービングセルを構成しなくてもよい。特殊副サービングセルを構成しない理由は、ＣＳＳ及びＰＵＣＣＨが設定される必要がないと判断されるためである。一例として、コンテンションベースのランダムアクセス手順がいずれの副サービングセルでも実行される必要がないと判断し、又は現在主サービングセルのＰＵＣＣＨの容量が充分であると判断することで、追加的な副サービングセルに対するＰＵＣＣＨを設定する必要がない場合がこれに該当する。
【００６０】
無線通信環境では送信機で電波が伝播されて受信機に伝達される間に伝播遅延(ｐｒｏｐａｇａｔｉｏｎ  ｄｅｌａｙ)を経るようになる。したがって、送受信機の両方ともが正確に送信機で電波が伝播される時間を知っているとしても、受信機に信号が到着する時間は、送受信機間距離、周辺電波環境などにより影響を受けるようになり、受信機が移動する場合、時間によって変わるようになる。もし、送信機が伝達する信号が受信される時点を受信機が正確に知ることができない場合、信号受信が失敗し、又は受信するとしても歪曲された信号を受信するようになって通信が不可能になる。
【００６１】
したがって、無線通信システムではダウンリンク/アップリンクを問わず、情報信号を受信するために基地局と端末との間の同期(ｓｙｎｃｈｒｏｎｉｚａｔｉｏｎ)が必ず先決されなければならない。同期の種類は、フレーム同期(ｆｒａｍｅ  ｓｙｎｃｈｒｏｎｉｚａｔｉｏｎ)、情報シンボル同期(ｉｎｆｏｒｍａｔｉｏｎ  ｓｙｍｂｏｌ  ｓｙｎｃｈｒｏｎｉｚａｔｉｏｎ)、サンプリング周期同期(ｓａｍｐｌｉｎｇ  ｐｅｒｉｏｄ  ｓｙｎｃｈｒｏｎｉｚａｔｉｏｎ)等、多様である。サンプリング周期同期は、物理的信号を区分するために最も基本的に取得しなければならない同期である。
【００６２】
ダウンリンク同期取得は、基地局の信号に基づいて端末で実行される。基地局は、端末でダウンリンク同期取得が容易になるように相互約束された特定信号を送信する。端末は、基地局で送ってきた特定信号が送信された時間を正確に分別可能でなければならない。ダウンリンクの場合、一つの基地局が複数の端末に同時に同じ同期信号を送信するため、端末は、各々、独立的に同期を取得することができる。
【００６３】
アップリンクの場合、基地局は、複数の端末から送信された信号を受信する。各端末と基地局との間の距離が異なる場合、各基地局が受信する信号は、互いに異なる送信遅延時間を有するようになり、各々取得したダウンリンク同期に基づいてアップリンク情報を送信する場合、各端末の情報が互いに異なる時間にその基地局で受信されるようになる。このような場合、基地局は、いずれか一つの端末に基づいて同期を取得することができない。したがって、アップリンク同期取得は、ダウンリンクとは異なる手順が必要である。
【００６４】
一方、アップリンク同期取得は、多重接続方式毎にその必要性が異なる。例えば、ＣＤＭＡシステムのような場合には、基地局が異なる端末のアップリンク信号を互いに異なる時間に受信しても、各アップリンク信号を分離することができる。しかし、ＯＦＤＭＡ又はＦＤＭＡに基づく無線通信システムでは、基地局が全ての端末のアップリンク信号を同時に受信して一度に復調する。したがって、複数の端末のアップリンク信号が正確な時間に受信されるほど受信性能が高まり、各端末信号の受信時間の差が大きくなるほど受信性能は急激に劣化される。したがって、アップリンク同期取得が必須である。
【００６５】
ランダムアクセス手順(ｒａｎｄｏｍ  ａｃｃｅｓｓ  ｐｒｏｃｅｄｕｒｅ)がアップリンク同期取得(即ち、アップリンクタイミング調整又はアップリンクタイミングアライメント)のために実行され、端末は、基地局から送信されるタイミングアライメント(Ｔｉｍｉｎｇ  Ａｌｉｇｎｍｅｎｔ：ＴＡ)値(Ｖａｌｕｅ)に基づいてアップリンク同期を取得する。アップリンクタイミングを早める値を有する点で、タイミングアライメント値は、タイミングアドバンス(Ｔｉｍｉｎｇ  Ａｄｖａｎｃｅ)値(Ｖａｌｕｅ)とも呼ばれる。または、タイミングアライメント値は、タイミング調整(ｔｉｍｉｎｇ  ａｄｊｕｓｔｍｅｎｔ)値(ｖａｌｕｅ)とも呼ばれる。
【００６６】
アップリンク同期が取得される場合、端末は、タイミングアライメントタイマ(Ｔｉｍｅ  Ａｌｉｇｎｍｅｎｔ  Ｔｉｍｅｒ：ＴＡＴ)を開始する。タイミングアライメントタイマが作動中の場合、端末と基地局は、互いにアップリンク同期が行われた状態にあると判断する。タイミングアライメントタイマが満了された場合又は作動されない場合、端末と基地局は、互いに同期が行われていないと判断し、端末は、ランダムアクセスプリアンブルの送信以外のアップリンク送信は実行しない。
【００６７】
一方、多重キャリアシステムでは、一つの端末が複数のコンポーネントキャリア又は複数のサービングセルを介して基地局と通信を実行する。端末に複数のサービングセルを介して基地局に送信される信号が全部同じ時間遅延を有すると、端末は、一つのタイミングアライメント値のみでも、全てのサービングセルに対するアップリンク同期取得が可能である。それに対し、複数のサービングセルを介して基地局に送信される信号が互いに異なる時間遅延を有すると、サービングセル毎に異なるタイミングアライメント値が要求される。その場合、タイミングアライメント値が複数個存在可能であり、これを多重タイミングアライメント値(ｍｕｌｔｉｐｌｅ  Ｔｉｍｉｎｇ  Ａｌｉｇｎｍｅｎｔ  Ｖａｌｕｅｓ)という。そして、多重タイミングアライメント値が関連したアップリンク同期化手順を多重タイミングアライメント(Ｍｕｌｔｉｐｌｅ  Ｔｉｍｉｎｇ  Ａｌｉｇｎｍｅｎｔ：Ｍ−ＴＡ)又は多重タイミングアドバンス(Ｍｕｌｔｉｐｌｅ  Ｔｉｍｉｎｇ  Ａｄｖａｎｃｅ：Ｍ−ＴＡ)という。
【００６８】
もし、多重タイミングアライメント値を取得するために端末が各サービングセルに対して各々ランダムアクセスを実行する場合、限定されたアップリンクリソースにオーバーヘッドが発生し、ランダムアクセスの複雑度が増加することができる。このようなオーバーヘッドと複雑度を減らすためにタイミングアライメントグループ(Ｔｉｍｉｎｇ  Ａｌｉｇｎｍｅｎｔ  Ｇｒｏｕｐ：ＴＡＧ)が定義される。タイミングアライメントグループは、タイミングアドバンスグループ(Ｔｉｍｉｎｇ  Ａｄｖａｎｃｅ  Ｇｒｏｕｐ)とも呼ばれる。また、ｐＴＡＧは、主サービングセルを含むタイミングアライメントグループを示し、ｓＴＡＧは、主サービングセルを含まないタイミングアライメントグループを示す。
【００６９】
サービング基地局と端末は、各ＴＡＧに対するタイミングアライメント(ＴＡ)値取得及び維持のために、下記のような動作を実行することができる。
【００７０】
１.サービング基地局と端末は、主サービングセルを介してｐＴＡＧのタイミングアライメント値取得及び維持を実行する。また、ｐＴＡＧのＴＡ値計算及び適用のための基準となるタイミングリファレンスは、常に主サービングセル内のＤＬ  ＣＣとなる。
【００７１】
２.ｓＴＡＧに対する初期アップリンクタイミングアライメント値を得るためには、基地局により初期化される非コンテンションベースのＲＡ手順が使われる。
【００７２】
３.ｓＴＡＧに対するタイミングリファレンスは、活性化された副サービングセルのうち一つが使われることができる。ただ、不要なタイミングリファレンスの変更はないと仮定する。
【００７３】
４.各ＴＡＧは、一つのタイミングリファレンスと一つのタイミングアライメントタイマ(Ｔｉｍｉｎｇ  Ａｌｉｇｎｍｅｎｔ  Ｔｉｍｅｒ：ＴＡＴ)を有する。そして、各ＴＡＴは、互いに異なるタイマ満了値で構成されることができる。ＴＡＴは、各ＴＡＧが取得して適用したタイミングアライメント値の有効性可否を知らせるためにサービング基地局からタイミングアライメント値を取得した直後から開始又は再開始する。
【００７４】
５.ｐＴＡＧのＴＡＴが実行中ではない場合、全てのｓＴＡＧに対するＴＡＴは、実行中であるべきではない。即ち、ｐＴＡＧのＴＡＴが満了された場合、ｐＴＡＧを含む全てのＴＡＧのＴＡＴが満了され、ｐＴＡＧに対するＴＡＴが実行中でない時、全てのｓＴＡＧに対するＴＡＴは開始されることができない。
【００７５】
Ａ.ｐＴＡＧのＴＡＴが満了される場合、端末は、全てのサービングセルのＨＡＲＱバッファをフラッシュ(ｆｌｕｓｈ)する。また、全てのダウンリンク及びアップリンクに対するリソース割当構成を初期化(ｃｌｅａｒ)する。一例として、半持続的スケジューリング(Ｓｅｍｉ−Ｐｅｒｓｉｓｔｅｎｔ  Ｓｃｈｅｄｕｌｉｎｇ：ＳＰＳ)方式のように、ＰＤＣＣＨのようなダウンリンク/アップリンクに対するリソース割当を目的に送信される制御情報無しに周期的なリソース割当が構成されている場合、ＳＰＳ構成を初期化する。また、全てのサービングセルのＰＵＣＣＨ及びタイプ０(周期的)ＳＲＳの構成を解除する。
【００７６】
６.もし、ｓＴＡＧのＴＡＴのみが満了された場合は、下記のような手順を実行する。
【００７７】
Ａ.ｓＴＡＧ内の副サービングセルのＵＬ  ＣＣを介したＳＲＳ送信を中止する。
【００７８】
Ｂ.タイプ０(周期的)ＳＲＳ構成を解除する。タイプ１(非周期的)ＳＲＳ構成は、維持する。
【００７９】
Ｃ.ＣＳＩ報告に対する構成情報は、維持する。
【００８０】
Ｄ.ｓＴＡＧ内の副サービングセルのアップリンクに対するＨＡＲＱバッファをフラッシュ(ｆｌｕｓｈ)する。
【００８１】
７.もし、ｓＴＡＧに対するＴＡＴが実行中である場合、ｓＴＡＧ内の全ての副サービングセルが非活性化された場合であっても、端末は、そのｓＴＡＧのＴＡＴを中止せずに実行する。これはｓＴＡＧ内の全ての副サービングセルが非活性化されてアップリンク同期を追跡するためのいずれのＳＲＳ及びアップリンク送信が行われない状況が特定時間中に維持された状態でもＴＡＴを介してそのｓＴＡＧのＴＡ値の有効性を保証することができるという意味である。
【００８２】
８.もし、ｓＴＡＧ内の最後の副サービングセルが除去された場合、即ち、ｓＴＡＧ内のいずれの副サービングセルも構成されていない場合、そのｓＴＡＧ内のＴＡＴは、中止される。
【００８３】
９.副サービングセルに対するランダムアクセス手順は、活性化された副サービングセルに対して基地局が物理階層制御情報チャネルであるＰＤＣＣＨを介してランダムアクセス手順の開始を指示するＰＤＣＣＨ命令(ｏｒｄｅｒ)を送信することによって実行されることができる。ＰＤＣＣＨ命令は、その端末のｓＴＡＧ内の副サービングセルで使用することができるランダムアクセスプリアンブルインデックス情報とその副サービングセルで使用可能な時間/周波数リソースのうち、全体又は一部に対してランダムアクセスプリアンブル送信を許容するＰＲＡＣＨマスクインデックス情報を含む。したがって、副サービングセルに対するランダムアクセス手順は、非コンテンションベースのランダムアクセス手順を介してのみ実行される。ここで、非コンテンションベースのランダムアクセス手順を指示するために、ＰＤＣＣＨ命令内に含まれているランダムアクセスプリアンブル情報は、‘００００００’以外の情報に指示されなければならない。
【００８４】
１０.ランダムアクセス応答(Ｒａｎｄｏｍ  Ａｃｃｅｓｓ  Ｒｅｓｐｏｎｓｅ：ＲＡＲ)メッセージ送信のためのＰＤＣＣＨ及びＰＤＳＣＨは、主サービングセルを介して送信されることができる。
【００８５】
１１.副サービングセルのランダムアクセスプリアンブルの再送信回数が最大許容再送信回数に到達した場合：Ａ)ＭＡＣ階層は、ランダムアクセス手順を中止する。Ｂ)ＭＡＣ階層は、ランダムアクセスが失敗したことをＲＲＣ階層に知らせない。したがって、ＲＬＦ(Ｒａｄｉｏ  Ｌｉｎｋ  Ｆａｉｌｕｒｅ)のトリガリングを誘発しない。Ｃ)端末は、基地局に副サービングセルのランダムアクセスが失敗したことを知らせない。
【００８６】
１２.ｐＴＡＧの経路減衰リファレンスは、主サービングセル又はｐＴＡＧ内の副サービングセルとなり、基地局は、ｐＴＡＧ内のサービングセル毎にＲＲＣシグナリングを介して互いに異なるように設定することができる。
【００８７】
１３.ｓＴＡＧ内の各サービングセルのアップリンクＣＣの経路減衰リファレンスは、各々、ＳＩＢ２接続設定されたダウンリンクＣＣである。ここで、ＳＩＢ２に接続設定されたとは、その副サービングセルのＳＩＢ１内の情報に基づいて構成されたＤＬ  ＣＣとＳＩＢ２内の情報に基づいて構成されたＵＬ  ＣＣとの間の接続設定を意味する。ここで、ＳＩＢ２は、ブロードキャスティングチャネルを介して送信されたシステム情報ブロックのうち一つであり、ＳＩＢ２は、副サービングセルを構成する時、ＲＲＣ再構成手順を介して基地局から端末に送信される。ＳＩＢ２内にはアップリンク中心周波数情報が含まれており、ＳＩＢ１内にはダウンリンク中心周波数情報が含まれている。
【００８８】
図５は、本発明の一例に係るタイミングアライメントグループ構成情報の送信方法を説明するフローチャートである。
【００８９】
図５を参照すると、端末は、分類アシスタント情報(ｃｌａｓｓｉｆｙｉｎｇ  ａｓｓｉｓｔａｎｔ  ｉｎｆｏｒｍａｔｉｏｎ)を基地局に送信する(Ｓ５００)。分類アシスタント情報は、端末に構成された少なくとも一つのサービングセルをタイミングアライメントグループ(ＴＡＧ)に分類するときに必要な情報又は基準を提供する。例えば、分類アシスタント情報は、端末の地理的位置情報、端末の隣接セル(ｎｅｉｇｈｂｏｕｒ  ｃｅｌｌ)測定情報、ネットワーク配置情報(ｎｅｔｗｏｒｋ  ｄｅｐｌｏｙｍｅｎｔ  ｉｎｆｏｒｍａｔｉｏｎ)、及びサービングセル構成情報のうち少なくとも一つを含むことができる。端末の地理的位置情報は、端末の緯度、経度、高さ等で表現されることができる位置を示す。端末の隣接セル測定情報は、隣接セルで送信される基準信号の受信電力(Ｒｅｆｅｒｅｎｃｅ  Ｓｉｇｎａｌ  Ｒｅｃｅｉｖｅｄ  Ｐｏｗｅｒ：ＲＳＲＰ)又は基準信号の受信品質(Ｒｅｆｅｒｅｎｃｅ  Ｓｉｇｎａｌ  Ｒｅｃｅｉｖｅｄ  Ｑｕａｌｉｔｙ：ＲＳＲＱ)を含む。ネットワーク配置情報は、基地局、周波数選択的リピータ(Ｆｒｅｑｕｅｎｃｙ  Ｓｅｌｅｃｔｉｖｅ  Ｒｅｐｅａｔｅｒ：ＦＳＲ)又は遠隔無線ヘッド(Ｒｅｍｏｔｅ  Ｒａｄｉｏ  Ｈｅａｄ：ＲＲＨ)の配置を示す情報である。サービングセル構成情報は、端末に構成されたサービングセルに対する情報である。ステップＳ５００は、端末が分類アシスタント情報を基地局に送信することを示すが、基地局が分類アシスタント情報を別途に知ることもでき、又は既に保有することもできる。その場合、本実施例に係るランダムアクセスは、ステップＳ５００が省略された状態に実行されてもよい。
【００９０】
基地局は、サービングセルを分類してタイミングアライメントグループを構成する(Ｓ５０５)。サービングセルは、分類アシスタント情報によって各タイミングアライメントグループに分類又は構成されることができる。タイミングアライメントグループの定義は、次の通りである。タイミングアライメントグループは、少なくとも一つのサービングセルを含むグループであり、タイミングアライメントグループ内のサービングセルに対しては同じタイミングアライメント値が適用される。例えば、第１のサービングセルと第２のサービングセルが同じタイミングアライメントグループ(ＴＡＧ１)に属する場合、第１のサービングセルと第２のサービングセルには同じタイミングアライメント値ＴＡ１が適用される。それに対し、第１のサービングセルと第２のサービングセルが異なるタイミングアライメントグループ(ＴＡＧ１、ＴＡＧ２)に属する場合、第１のサービングセルと第２のサービングセルには異なるタイミングアライメント値ＴＡ１とＴＡ２が各々適用される。タイミングアライメントグループは、主サービングセルを含むことができ、少なくとも一つの副サービングセルを含むこともでき、主サービングセルと少なくとも一つの副サービングセルを含むこともできる。または、タイミングアライメントグループは、同じタイミングアライメント値と同じタイミングリファレンス(ｔｉｍｉｎｇ  ｒｅｆｅｒｅｎｃｅ)を使用するサービングセルのグループに定義されてもよい。または、タイミングアライメントグループは、タイミングリファレンスを含むタイミングリファレンスセルを使用するグループである。ここで、タイミングリファレンスは、タイミングアライメント値計算の基準となるＤＬ  ＣＣである。
【００９１】
一例として、基地局は、端末に特定するようにタイミングアライメントグループを構成することができる。サービングセル構成情報は、端末毎に個別的、独立的に構成されるため、これを分類アシスタント情報として使用する場合、タイミングアライメントグループも端末毎に個別的、独立的に構成されることができる。例えば、第１の端末に対するタイミングアライメントグループがＴＡＧ１_ＵＥ１、ＴＡＧ２_ＵＥ１であり、第２の端末に対するタイミングアライメントグループがＴＡＧ１_ＵＥ２、ＴＡＧ２_ＵＥ２であると仮定する。第１の端末に第１及び第２のサービングセルが構成される場合、ＴＡＧ１_ＵＥ１＝{第１のサービングセル}、ＴＡＧ２_ＵＥ１＝{第２のサービングセル}であり、それに対し、第２の端末に第１〜第４のサービングセルが構成される場合、ＴＡＧ１_ＵＥ２＝{第１のサービングセル,第２のサービングセル}、ＴＡＧ２_ＵＥ２＝{第３のサービングセル,第４のサービングセル}である。
【００９２】
他の例として、基地局は，セルに特定するようにタイミングアライメントグループを構成することができる。ネットワーク配置情報は、端末に関係なしに定められるため、これを分類アシスタント情報として使用する場合、タイミングアライメントグループは、端末と関係なしにセル中心的に構成されることができる。例えば、特定周波数帯域の第１のサービングセルは、常に周波数選択的リピータや遠隔無線ヘッドでサービスされ、第２のサービングセルは、基地局を介してサービスされると仮定する。その場合、基地局のサービス地域内の全ての端末に対して第１のサービングセルと第２のサービングセルは、互いに異なるタイミングアライメントグループに分類される。
【００９３】
基地局は、タイミングアライメントグループ構成情報(ＴＡＧ  ｃｏｎｆｉｇｕｒａｔｉｏｎ  ｉｎｆｏｒｍａｔｉｏｎ)を端末に送信する(Ｓ５１０)。タイミングアライメントグループ構成情報は、タイミングアライメントグループが構成された状態を説明した情報を含むものであり、端末に構成された少なくとも一つのサービングセルをタイミングアライメントグループに分類したものを含む。
【００９４】
一例として、タイミングアライメントグループ設定情報は、タイミングアライメントグループの個数フィールド、各タイミングアライメントグループのインデックスフィールド、及び各タイミングアライメントグループが含むサービングセルのインデックスフィールドを含むことができ、それらのフィールドは、タイミングアライメントグループが構成された状態を説明する。
【００９５】
他の例として、タイミングアライメントグループ構成情報は、各タイミングアライメントグループ内の代表サービングセル情報をさらに含むことができる。代表サービングセルは、各タイミングアライメントグループ内でアップリンク同期維持及び設定のためのランダムアクセス手順を実行することができるサービングセルである。代表サービングセルは、特別サービングセル(ｓｐｅｃｉａｌ  ＳＣｅｌｌ)又は参照サービングセル(ｒｅｆｅｒｅｎｃｅ  ＳＣｅｌｌ)とも呼ばれる。もし、上記の実施例とは違って、タイミングアライメントグループ構成情報が代表サービングセルを含まない場合、端末は、直接、各タイミングアライメントグループ内の代表サービングセルを選択することができる。
【００９６】
端末は、基地局に対してランダムアクセス手順を実行する(Ｓ５１５)。
【００９７】
図６は、本発明の他の例に係るタイミングアライメントグループ構成情報の送信方法を説明するフローチャートである。
【００９８】
図６を参照すると、もし、無線リソース制御(ＲＲＣ：Ｒａｄｉｏ  Ｒｅｓｏｕｒｃｅ  Ｃｏｎｔｏｌ)アイドルモード(ｉｄｌｅ  ｍｏｄｅ)である端末は、コンポーネントキャリアを集約できず、ＲＲＣ接続モード(ｃｏｎｎｅｃｔｅｄ  ｍｏｄｅ)である端末のみがコンポーネントキャリアを集約することができる場合、端末は、コンポーネントキャリアの集約前にＲＲＣ接続のためのセルを選択し、選択されたセルを介して基地局に対してＲＲＣ接続設定(ｃｏｎｎｅｃｔｉｏｎ  ｅｓｔａｂｌｉｓｈｍｅｎｔ)手順を実行する(Ｓ６００)。ＲＲＣ接続設定手順は、端末がＲＲＣ接続要求メッセージを基地局に送信し、基地局がＲＲＣ接続設定(ｃｏｎｎｅｃｔｉｏｎ  ｓｅｔｕｐ)を端末に送信し、端末がＲＲＣ接続設定完了メッセージを基地局に送信することによって実行される。ＲＲＣ接続設定手順は、ＳＲＢ１の設定を含む。
【００９９】
一方、ＲＲＣ接続のためのセルは、下記のような選択条件を基準にして選択される。
【０１００】
(ｉ)端末が測定(ｍｅａｓｕｒｅｍｅｎｔ)した情報に基づいて無線リソース制御接続を試みる最も適したセル(ｓｕｉｔａｂｌｅ  ｃｅｌｌ)を選択することができる。測定情報として、端末は、受信した特定セルのＣＲＳ(Ｃｅｌｌ−ｓｐｅｃｉｆｉｃ  Ｒｅｆｅｒｅｎｃｅ  Ｓｉｎｇａｌ)に基づいて受信電力を測定するＲＳＲＰ及び全体受信電力(分子)対比特定セルに対するＲＳＲＰ値(分母)の割合で定義するＲＳＲＱを全部考慮する。したがって、端末は、区分可能なセルの各々に対するＲＳＲＰ及びＲＳＲＱ値を確保し、これに基づいて適したセルを選択する。例えば、ＲＳＲＰ及びＲＳＲＱ値の両方とも、０ｄＢ以上の値を有してＲＳＲＰ値が最大であるセル又はＲＳＲＱ値が最大であるセル又はＲＳＲＰとＲＳＲＱ値の各々に対して加重値を設定(例えば、７：３)し、加重値を考慮して平均値に基づいて適したセルを選択することができる。
【０１０１】
(ｉｉ)端末内部メモリに格納されているシステムで固定的に設定したサービス事業者(ＰＬＭＮ)に対する情報又はダウンリンク中心周波数情報又はセル区分情報(例えば、ＰＣＩ(Ｐｈｙｓｉｃａｌ  ｃｅｌｌ  ＩＤ))を利用して無線リソース制御接続を試みることができる。格納されている情報は、複数のサービス事業者及びセルに対する情報で構成されることができ、情報毎に優先順位又は優先加重値が設定されていることもある。
【０１０２】
(ｉｉｉ)端末は、基地局でブロードキャスティングチャネルを介して送信したシステム情報を受信し、受信したシステム情報内の情報を確認して無線リソース制御接続を試みることができる。例えば、端末は、セル接続のために、メンバーシップが必要な特定セル(例えば、ＣＳＧ(Ｃｌｏｓｅｄ  Ｓｕｂｓｃｒｉｂｅ  Ｇｒｏｕｐ)、ｎｏｎ−ａｌｌｏｗｅｄ  Ｈｏｍｅ基地局等)であるかどうかに対して確認しなければならない。したがって、端末は、各基地局が送信するシステム情報を受信してＣＳＧ可否を示すＣＳＧ  ＩＤ情報を確認する。もし、ＣＳＧであると確認される場合、接続可能なＣＳＧであるかどうかを確認する。接続可能性を確認するために、端末は、自分のメンバーシップ情報とＣＳＧセルの固有情報(例えば、システム情報内にある(Ｅ)ＣＧＩ((ｅｎｖｏｌｖｅｄ)  ｃｅｌｌ  ｇｒｏｂａｌ  ＩＤ)又はＰＣＩ情報)を利用することができる。確認手順を介して接続不可能な基地局であると確認された場合、無線リソース制御接続を試みない。
【０１０３】
(ｉｖ)端末内部メモリに格納されている有効なコンポーネントキャリア(例えば、端末が具現(ｉｍｐｌｅｍｅｎｔａｔｉｏｎ)上、サポート可能な周波数帯域内で構成可能なコンポーネントキャリア)を介して無線リソース制御接続を試みることができる。
【０１０４】
四つの選択条件のうち、(ｉｉ)及び(ｉｖ)条件は、選択的(ｏｐｔｉｏｎａｌ)に適用されるが、(ｉ)及び(ｉｉｉ)条件は、必ず(ｍａｎｄａｔｏｒｙ)適用されなければならない。
【０１０５】
ＲＲＣ接続のために選択されたセルを介して無線リソース制御接続を試みるために、端末は、ＲＲＣ接続要求メッセージを送信するアップリンク帯域を確認しなければならない。したがって、端末は、選択されたセルのダウンリンクを介して送信される放送チャネル(ｂｒｏａｄｃａｓｔｉｎｇ  ｃｈａｎｎｅｌ)を介してシステム情報を受信する。ＳＩＢ２(Ｓｙｓｔｅｍ  Ｉｎｆｏｒｍａｔｉｏｎ  Ｂｌｏｃｋ  ２)は、アップリンクとして使用する帯域に対する帯域幅情報及び中心周波数情報を含む。したがって、端末は、選択されたセルのダウンリンク、ダウンリンクとＳＩＢ２内の情報により接続設定されているアップリンク帯域を介してＲＲＣ接続を試みる。このとき、端末は、ランダムアクセス手順内でＲＲＣ接続要求メッセージをアップリンクデータとして基地局に伝達することができる。ＲＲＣ接続手順が成功した場合、ＲＲＣ接続設定されたセルは、主サービングセルと呼ばれることができ、主サービングセルは、ＤＬ  ＰＣＣとＵＬ  ＰＣＣで構成される。
【０１０６】
基地局は、端末の要求又はネットワークの要求又は基地局の自体判断により多くの無線リソースを端末に割り当てなければならない場合、一つ以上の副サービングセル(ＳＣｅｌｌ)を端末に追加に構成するためのＲＲＣ接続再構成(ｃｏｎｎｅｃｔｉｏｎ  ｒｅｃｏｎｆｉｇｕｒａｔｉｏｎ)手順を実行する(Ｓ６０５)。ＲＲＣ接続再構成手順は、基地局がＲＲＣ接続再構成メッセージを端末に送信し、端末がＲＲＣ接続再構成完了メッセージを基地局に送信することによって実行される。
【０１０７】
以下のステップＳ６１０、Ｓ６１５、Ｓ６２０及びＳ６２５には、ステップＳ５００、Ｓ５０５、Ｓ５１０、Ｓ５１５が各々同一に適用される。一方、分類アシスタント情報は、ステップＳ６０５におけるＲＲＣ接続再構成完了メッセージに含まれることができ、この場合、ステップＳ６１０は省略されることができる。また、ランダムアクセス手順を実行するステップ(Ｓ６２５)は、非コンテンションベース又はコンテンションベースに実行されることができる。
【０１０８】
図７は、本発明の他の例に係るタイミングアライメントグループ構成情報の送信方法を説明するフローチャートである。
【０１０９】
図７を参照すると、端末と基地局は、選択されたセルを介して基地局に対してＲＲＣ接続設定手順を実行する(Ｓ７００)。端末は、分類アシスタント情報を基地局に送信する(Ｓ７０５)。分類アシスタント情報は、端末に構成された少なくとも一つのサービングセルをタイミングアライメントグループに分類するときに必要な情報又は基準を提供する。一方、基地局が分類アシスタント情報を別途に知ることもでき、又は既に保有することもできる。その場合、本実施例に係るランダムアクセスは、ステップＳ７０５が省略された状態で実行されてもよい。
【０１１０】
基地局は、サービングセルを分類してタイミングアライメントグループを構成する(Ｓ７１０)。サービングセルは、分類アシスタント情報によって各タイミングアライメントグループに分類又は構成されることができる。
【０１１１】
基地局は、端末の要求又はネットワークの要求又は基地局の自体判断により多くの無線リソースを端末に割り当てなければならない場合、一つ以上の副サービングセルを端末に追加に構成するためのＲＲＣ接続再構成手順を実行する(Ｓ７１５)。ＲＲＣ接続再構成手順内で、基地局は、ＲＲＣ接続再構成メッセージ内にタイミングアライメントグループ構成情報を含んで端末に送信することができる。タイミングアライメントグループ構成情報は、タイミングアライメントグループが構成された状態を説明する。一例として、タイミングアライメントグループ設定情報は、タイミングアライメントグループの個数フィールド、各タイミングアライメントグループのインデックスフィールド、及び各タイミングアライメントグループが含むサービングセルのインデックスフィールドを含むことができ、それらのフィールドは、タイミングアライメントグループが構成された状態を説明する。
【０１１２】
以後、端末は、ランダムアクセス手順を実行し(Ｓ７２０)、これは非コンテンションベース又はコンテンションベースに実行されることができる。
【０１１３】
端末は、ランダムアクセス応答メッセージ内のタイミングアドバンスコマンド及び/又はタイミングアライメントグループインデックスを確認し、確認されたタイミングアライメントグループ内の全てのサービングセルに対するアップリンクタイミングを、タイミングアドバンスコマンドにしたがってタイミングアライメント値によって調整する。タイミングアライメント値により調整されるアップリンクタイミングの例示は、数式１〜数式４の通りである。もし、ランダムアクセス応答メッセージ内に複数のタイミングアライメントグループに対するタイミングアドバンスコマンド及び/又はタイミングアライメントグループインデックスが存在する場合、端末は、各タイミングアライメントグループ別サービングセルに対するアップリンクタイミングをそのタイミングアドバンスコマンドによるタイミングアライメント値ほど調整する。
【０１１４】
図８は、本発明の他の例に係るタイミングアライメントグループ構成情報の送信方法を説明するフローチャートである。
【０１１５】
図８を参照すると、端末と基地局は、選択されたセルを介して基地局に対してＲＲＣ接続設定手順を実行する(Ｓ８００)。選択されたセルは、主サービングセルとなる。基地局は、端末の要求又はネットワークの要求又は基地局の自体判断により多くの無線リソースの端末に割り当てなければならない場合、一つ以上の副サービングセルを端末に追加に構成するためのＲＲＣ接続再構成手順を実行する(Ｓ８０５)。
【０１１６】
端末は、一つ以上の副サービングセルを構成し、ランダムアクセス手順を実行する(Ｓ８１０)。端末は、同期が確保できない副サービングセル又は新たに追加/変更構成された副サービングセルに対してタイミング同期を確保するために、ランダムアクセスプリアンブルを基地局に送信する。副サービングセルに対するランダムアクセス手順は、基地局により送信されるＰＤＣＣＨ命令(ｏｒｄｅｒ)によって開始されることができる。ランダムアクセス手順は、非コンテンションベース又は基地局の意図によるコンテンションベースに実行されることができる。
【０１１７】
基地局は、ステップＳ８１０で受信されたランダムアクセスプリアンブルに基づいて端末に構成されたサービングセルを分類してタイミングアライメントグループを構成する(Ｓ８１５)。タイミングアライメントグループは、少なくとも一つのサービングセルを含むグループであり、タイミングアライメントグループ内のサービングセルに対しては同じタイミングアライメント値が適用される。一例として、基地局は、端末に特定するようにタイミングアライメントグループを構成することができる。他の例として、基地局は、セルに特定するようにタイミングアライメントグループを構成することができる。
【０１１８】
基地局は、タイミングアライメントグループ構成情報を端末に送信する(Ｓ８２０)。タイミングアライメントグループ構成情報は、タイミングアライメントグループが構成された状態を説明する。
【０１１９】
一例として、タイミングアライメントグループ設定情報は、タイミングアライメントグループの個数フィールド、各タイミングアライメントグループのインデックスフィールド、及び各タイミングアライメントグループが含むサービングセルのインデックスフィールドを含むことができ、それらのフィールドは、タイミングアライメントグループが構成された状態を説明する。
【０１２０】
他の例として、タイミングアライメントグループ構成情報は、各タイミングアライメントグループ内の代表サービングセル情報をさらに含むことができる。代表サービングセルは、各タイミングアライメントグループ内でアップリンク同期維持及び設定のためのランダムアクセス手順を実行することができるサービングセルである。もし、上記の実施例とは違って、タイミングアライメントグループ構成情報が代表サービングセルを含まない場合、端末は、直接、各タイミングアライメントグループ内の代表サービングセルを選択することができる。
【０１２１】
以下、タイミングアライメントグループ設定情報に対して詳細に説明する。一例として、基地局は、タイミングアライメントグループ設定情報をＲＲＣメッセージを利用して端末に送信することができる。例えば、タイミングアライメントグループ設定情報は、ＲＲＣ接続再構成(ｒｅｃｏｎｆｉｇｕｒａｔｉｏｎ)手順で使われるＲＲＣ接続再構成メッセージに含まれて送信されることができる。表１は、タイミングアライメントグループ設定情報を含むＲＲＣ接続再構成メッセージの一例である。
【０１２２】
【表１】
0005766873.tif 000002
【０１２３】
表１を参照すると、ＲＲＣ接続再構成メッセージは、タイミングアライメントグループ設定情報(ＴＡＧ−ＣｏｎｆｉｇＤｅｄｉｃａｔｅｄ)を含む。ｓＴＡＧにおける代表サービングセルインデックス(ｒｅｆｅｒｅｎｃｅ  Ｃｅｌｌ)は、１〜７のうちいずれか一つの値を有し、これはサービングセルインデックスに対応する。タイミングアライメントグループのサービングセルリスト情報(ＳＣｅｌｌＬｉｓｔＯｆＴＡＧ)は、１〜７のうちいずれか一つの値を有し、これはサービングセルインデックスに対応する。
【０１２４】
表２は、タイミングアライメントグループ設定情報を含むＲＲＣ接続再構成メッセージの他の例である。
【０１２５】
【表２】
0005766873.tif 000003
【０１２６】
表２を参照すると、ＲＲＣ接続再構成メッセージは、タイミングアライメントグループ設定情報(ＴＡＧ−ＣｏｎｆｉｇＤｅｄｉｃａｔｅｄ)を含む。表１と違って、表２ではｐＴＡＧとｓＴＡＧに含まれているサービングセルをビットストリング(ｂｉｔ  ｓｔｒｉｎｇ)によって表される。ビットストリングの大きさは７ビットであり、一つのサービングセルはビットストリングの一つのビットにのみ対応する。もちろん、７ビットのビットストリングの大きさは例示に過ぎず、それより小さくてもよいし、大きくてもよい。
【０１２７】
他の例として、基地局は、タイミングアライメントグループ設定情報を、ＭＡＣメッセージを利用して端末に送信することができる。
【０１２８】
タイミングアライメントグループ設定情報を含むＭＡＣメッセージは、図１７のＭＡＣ  ＰＤＵ構造を有することができる。特に、タイミングアライメントグループ設定情報は、ＭＡＣ制御要素に含まれることができ、このようなＭＡＣ制御要素を指示するＬＣＩＤフィールドの値が表３のように定義されることができる。
【０１２９】
【表３】
0005766873.tif 000004
【０１３０】
表３を参照すると、１１０１０値を有するＬＣＩＤフィールドは、これに対応するＭＡＣ制御要素がタイミングアライメントグループ設定情報を含むＭＡＣ制御要素(以下、ＴＡＧのためのＭＡＣ制御要素)であることを指示する。ＴＡＧのためのＭＡＣ制御要素に対応するＭＡＣサブヘッダは、Ｒ/Ｒ/Ｅ/ＬＣＩＤ/Ｆ/Ｌのように６個のフィールドを含み、このとき、ＴＡＧのためのＭＡＣ制御要素は、可変的な長さを有することができる。Ｌフィールドは、ＴＡＧのためのＭＡＣ制御要素の長さをバイト(ｂｙｔｅ)単位に表示する。そして、Ｌフィールドの長さは、Ｆフィールドにより指示される。例えば、Ｆフィールドは１ビットであり、‘１’の場合、ＴＡＧのためのＭＡＣ制御要素が１２８バイトより小さいことを示し、この場合のＭＡＣサブヘッダは、図９の実施例１と同様である。また、Ｆフィールドが‘０’の場合、ＴＡＧのためのＭＡＣ制御要素の長さが１２８バイト以上であることを示し、この場合のＭＡＣサブヘッダは、図９の実施例２と同様である。
【０１３１】
図１０は、本発明の一例に係るＴＡＧのためのＭＡＣ制御要素を示す。
【０１３２】
図１０を参照すると、８ビット単位のオクテット(ｏｃｔｅｔ)１(Ｏｃｔ１)は、ｐＴＡＧに対応される領域であり、ビットマップ形式又は２進数形態にｐＴＡＧに含まれているサービングセルを表現する。オクテット１のＲ、Ｃ７、Ｃ６、Ｃ５、Ｃ４、Ｃ３、Ｃ２、Ｃ１は、右側から順次にサービングセルインデックス１、サービングセルインデックス２、…サービングセルインデックス７に対応され、Ｒは予約されたフィールドである。即ち、Ｃｎは、サービングセルインデックスｎに対応される。例えば、Ｃｎ＝１の場合、インデックスｎであるサービングセルがｐＴＡＧに含まれることを指示し、Ｃｎ＝０の場合、インデックスｎであるサービングセルがｐＴＡＧに含まれないことを指示することができる。ｐＴＡＧでは常に主サービングセルが代表サービングセルとなる。
【０１３３】
オクテット２(Ｏｃｔ２)は、１番目のｓＴＡＧに対応される領域であり、ビットマップ形式又は２進数形態にｓＴＡＧに含まれているサービングセルを表現する。オクテット２のＲ、Ｃ７、Ｃ６、Ｃ５、Ｃ４、Ｃ３、Ｃ２、Ｃ１は、右側から順次にサービングセルインデックス１、サービングセルインデックス２、…サービングセルインデックス７に対応され、Ｒは予約されたフィールドである。次のオクテット３(Ｏｃｔ３)は、直前オクテットであるオクテット２が指示するｓＴＡＧにおける代表サービングセルを指示する。即ち、オクテット３は、１番目のｓＴＡＧの代表サービングセルを指示するセルインデックス(Ｃｅｌｌ  ｉｎｄｅｘ)フィールドを含み、７個のサービングセルは、３ビットで表現可能なため、セルインデックスフィールドは、３ビットであり、オクテット３の残りの５個のビットは、予約的フィールド(Ｒフィールド)に設定される。
【０１３４】
同様に、オクテット２(Ｎ−１)は、Ｎ番目のｓＴＡＧに対応される領域であり、オクテット２Ｎ−１は、Ｎ番目のｓＴＡＧにおける代表サービングセルを指示する領域である。
【０１３５】
各オクテットにおけるＲフィールドは、一番左側ビットに位置すると示したが、これは例示に過ぎず、Ｒフィールドは一番右側ビットに位置してもよい。
【０１３６】
図１１は、本発明の他の例に係るＴＡＧのためのＭＡＣ制御要素を示す。
【０１３７】
図１１を参照すると、各オクテット１、２、３、…、ｎ＋１は、順次にｐＴＡＧ、ｓＴＡＧ１、ｓＴＡＧ２、…、ｓＴＡＧｎに対応される領域であり、ビットマップ形式又は２進数形態にタイミングアライメントグループに含まれているサービングセルを表現する。各タイミングアライメントグループの代表サービングセルを指示するセルインデックスフィールドが別途にないという点が図１０と異なる。各ＴＡＧの代表サービングセルは、端末と基地局との間に予め定義されることもでき、又は別途のシグナリングにより端末に知らせることもできる。各オクテットにおけるＲフィールドは、一番左側ビットに位置すると示したが、これは例示に過ぎず、Ｒフィールドは一番右側ビットに位置することもできる。
【０１３８】
図５〜図８において、アップリンク同期は、必ずＴＡＧ構成手順と関連して実行されるものではなく、独立的で別個に実行されることができる。また、アップリンク同期のために、ランダムアクセス手順を例示したが、これは一例に過ぎない。アップリンク同期のためのＭＡＣ送受信は、ランダムアクセス手順と別個に実行可能である。
【０１３９】
本発明では一例として、ランダムアクセス手順と関連してＴＡＧインデックス(又は、ＴＡＧ  ＩＤ)及びＴＡＣを送受信する方法を説明する。まず、ランダムアクセス手順は、非コンテンションベース又はコンテンションベースに実行されることができる。ランダムアクセス手順は、非コンテンションベースであるか、コンテンションベースであるかによってその手順が異なる。非コンテンションベースである場合、図１２の手順を適用し、コンテンションベースである場合、図１６の手順を適用する。
【０１４０】
まず、図１２は、本発明の一例に係るランダムアクセス手順を利用してタイミングアライメントコマンド(ＴＡＣ)の受信を説明するフローチャートである。これは、非コンテンションベースのランダムアクセス手順である。
【０１４１】
図１２を参照すると、基地局は、使用可能な全体ランダムアクセスプリアンブルのうち、予約および専用のランダムアクセスプリアンブルの中から一つを選択し、選択されたランダムアクセスプリアンブルのインデックス及び使用可能な時間/周波数リソース情報を含むプリアンブル割当情報(ＲＡ  Ｐｒｅａｍｂｌｅ  ａｓｓｉｇｎｍｅｎｔ)を端末に送信する(Ｓ１２００)。非コンテンションベースのランダムアクセス手順のためには、端末は、コリジョンの可能性がない専用のランダムアクセスプリアンブルを基地局から割当を受けることが必要である。
【０１４２】
一例として、ランダムアクセス手順がハンドオーバ過程中に実行される場合、端末は、専用ランダムアクセスプリアンブルをハンドオーバコマンドメッセージから得ることができる。他の例として、ランダムアクセス手順が基地局の要求により実行される場合、端末は、専用ランダムアクセスプリアンブルをＰＤＣＣＨ、即ち、物理階層シグナリングを介して得ることができる。その場合、物理階層シグナリングは、ダウンリンク制御情報(Ｄｏｗｎｌｉｎｋ  Ｃｏｎｔｒｏｌ  Ｉｎｆｏｒｍａｔｉｏｎ：ＤＣＩ)フォーマット１Ａであり、表４のようなフィールドを含むことができる。
【０１４３】
【表４】
0005766873.tif 000005
【０１４４】
表４を参照すると、プリアンブルインデックスは、非コンテンションベースのランダムアクセス手順のために予め予約した専用ランダムアクセスプリアンブルの中から選択された一つのプリアンブルを指示するインデックスであり、ＰＲＡＣＨマスクインデックスは、使用可能な時間/周波数リソース情報である。使用可能な時間/周波数リソース情報は、表５のように周波数分割デュプレックス(Ｆｒｅｑｕｅｎｃｙ  Ｄｉｖｉｓｉｏｎ  Ｄｕｐｌｅｘ：ＦＤＤ)システムと時間分割デュプレックス(Ｔｉｍｅ  Ｄｉｖｉｓｉｏｎ  Ｄｕｐｌｅｘ：ＴＤＤ)システムとによって、指示するリソースが変わる。
【０１４５】
【表５】
0005766873.tif 000006
【０１４６】
端末は、割り当てられた専用ランダムアクセスプリアンブルを代表サービングセルを介して基地局に送信する(Ｓ１２０５)。代表サービングセルは、端末に構成されるタイミングアライメントグループでランダムアクセスプリアンブルを送信するように選択されたサービングセルである。
【０１４７】
代表サービングセルは、タイミングアライメントグループ毎に選択されることができる。また、端末は、複数のタイミングアライメントグループのうち、いずれか一つのタイミングアライメントグループ内の代表サービングセル上にランダムアクセスプリアンブルを送信することもでき、２個以上のタイミングアライメントグループ内のそれぞれの代表サービングセル上にランダムアクセスプリアンブルを送信することもできる。例えば、端末に構成されたタイミングアライメントグループがＴＡＧ１、ＴＡＧ２であり、ＴＡＧ１＝{第１のサービングセル,第２のサービングセル,第３のサービングセル}、ＴＡＧ２＝{第４のサービングセル,第５のサービングセル}と仮定する。ＴＡＧ１の代表サービングセルが第２のサービングセル、ＴＡＧ２の代表サービングセルが第５のサービングセルの場合、端末は、割り当てられた専用ランダムアクセスプリアンブルを第２のサービングセル又は第５のサービングセルを介して基地局に送信する。
【０１４８】
ランダムアクセスプリアンブルは、代表サービングセルが活性化された以後に実行されることができる。また、副サービングセルに対するランダムアクセス手順は、基地局により送信されるＰＤＣＣＨ命令(ｏｒｄｅｒ)によって開始されることができる。本実施例では、非コンテンションベースのランダムアクセス手順に対して説明するが、基地局の意図によりコンテンションベースのランダムアクセス手順にも適用されることができる。
【０１４９】
代表サービングセルを含むＴＡＧに対するタイミングアライメント値のみ取得すると、端末は、取得されたタイミングアライメント値をＴＡＧに含まれている他の全てのサービングセルのタイミングアライメント値として使用することができる。これは同じタイミングアライメントグループに属するサービングセルには同じタイミングアライメント値が適用されるためである。特定サービングセルにおける不要なランダムアクセス手順を遮断することによって、ランダムアクセス手順の重複、複雑度、及びオーバーヘッドを減らすことができる。
【０１５０】
基地局は、ランダムアクセス応答メッセージを端末に送信する(Ｓ１２１０)。一例として、ランダムアクセス応答メッセージは、タイミングアドバンスコマンド(Ｔｉｍｉｎｇ  Ａｄｖａｎｃｅ  Ｃｏｍｍａｎｄ：ＴＡＣ)を含むことができる。ここで、ランダムアクセス応答メッセージは、一例として、ＭＡＣ  ＲＡＲ形態に送信可能であり、これはランダムアクセス応答のためのＭＡＣ  ＰＤＵ形態で構成された要素データである。本発明によってランダムアクセス応答のためのＭＡＣ  ＲＡＲは、端末のアップリンク同期を合わせるためのタイミングアライメントコマンド(ＴＡＣ)、即ち、タイミングアライメント値を含んで送信されることができる。
【０１５１】
タイミングアドバンスコマンドフィールドは、現在アップリンクタイミングに対する相対的なアップリンクタイミングの変化を指示し、サンプリング時間(Ｔｓ)の整数倍、例えば、１６Ｔｓである。
【０１５２】
また、基地局は、タイミングアライメントコマンド(ＴＡＣ)フィールドを、ランダムアクセス応答メッセージを使用せずに端末に送信することができる(Ｓ１２１０)。タイミングアライメントコマンドは、タイミングアドバンスコマンドフィールドが適用されるタイミングアライメントグループに対するインデックス情報と共に送信されることができる。ＴＡＣは、タイミングアライメントグループ内の全体サービングセルのアップリンクタイミングを同等に(ｅｑｕａｌｌｙ)又は同一に(ｉｄｅｎｔｉｃａｌｌｙ)調整するタイミングアライメント値を指示する。タイミングアライメント値は、特定のインデックスとして与えられることができる。他の例として、ランダムアクセス応答メッセージは、ＴＡＧのためのタイミングアライメントコマンド及び代表サービングセルを含むタイミングアライメントグループのインデックスを含む。
【０１５３】
端末は、ランダムアクセス応答メッセージ内のタイミングアドバンスコマンド及び/又はタイミングアライメントグループインデックスを確認又は識別し、確認されたタイミングアライメントグループ内の全てのサービングセルに対するアップリンクタイミングをタイミングアドバンスコマンドによるタイミングアライメント値ほど調整する。タイミングアライメント値により調整されるアップリンクタイミングの例示は、数式１〜数式４の通りである。もし、ランダムアクセス応答メッセージ内に複数のタイミングアライメントグループに対するタイミングアドバンスコマンド及び/又はタイミングアライメントグループインデックスが存在する場合、端末は、各タイミングアライメントグループ別サービングセル(ら)に対するアップリンクタイミングをそのタイミングアドバンスコマンドによるタイミングアライメント値ほど調整する。ここで、端末は、ＴＡＣ及び/又はＴＡＧインデックスをランダムアクセス応答メッセージ内で決定することもできる。
【０１５４】
基地局は、受信されたランダムアクセスプリアンブル及び時間/周波数リソースに基づいて、どの端末がどのサービングセルを介してランダムアクセスプリアンブルを送信したかを確認することができる。したがって、基地局は、端末のＣ−ＲＮＴＩ(Ｃｅｌｌ−Ｒａｄｉｏ  Ｎｅｔｗｏｒｋ  Ｔｅｍｐｏｒａｒｙ  Ｉｄｅｎｔｉｆｉｅｒ)でスクランブルされた(ｓｃｒａｍｂｌｅｄ)ＰＤＣＣＨが指示する物理ダウンリンク共用チャネル(ｐｈｙｓｉｃａｌ  ｄｏｗｎｌｉｎｋ  ｃｏｎｔｒｏｌ  ｃｈａｎｎｅｌ：ＰＤＳＣＨ)を介してランダムアクセス応答メッセージを端末に送信する。
【０１５５】
ここで、Ｃ−ＲＮＴＩは、端末が基地局と設定したＲＲＣ接続と基地局により送信されたスケジューリング情報を確認するために、基地局が各端末に割り当てる識別子である。基地局は、各基地局内のユーザ毎に互いに異なるＣ−ＲＮＴＩ値を割り当てなければならない。各Ｃ−ＲＮＴＩは、端末がＲＲＣ接続のために実行したコンテンションベースのランダムアクセス手順のうち、ランダムアクセス応答を介して臨時Ｃ−ＲＮＴＩの割当を受け、そのランダムアクセス手順が最終成功した時点で、端末は、臨時Ｃ−ＲＮＴＩをＣ−ＲＮＴＩと認識する。ランダムアクセス応答メッセージがマッピングされたＰＤＳＣＨを指示するＰＤＣＣＨは、代表サービングセル自体又は代表サービングセルに対するスケジューリングセル(ｓｃｈｅｄｕｌｉｎｇ  ｃｅｌｌ)を介して送信されることができる。また、ランダムアクセス応答メッセージがタイミングアドバンスコマンドのためのＭＡＣ制御要素で送信される場合、即ち、図２０〜図２４のうちいずれか一つのようにタイミングアドバンスコマンドフィールド(６ビット又は１１ビット)及びＴＡＧ  ＩＤフィールドのみを含む内容で構成されたメッセージ構造に送信される場合、ＰＤＣＣＨ命令及びランダムアクセス応答メッセージは、ランダムアクセスプリアンブルが送信されたアップリンクが含まれている副サービングセルでない他のサービングセルを介して受信することができる。即ち、ランダムアクセス応答が送信されるとき、特定サービングセルに対するスケジューリングに制限を受けずに送信されることができる。
【０１５６】
ランダムアクセス手順を指示するＰＤＣＣＨ命令(ＰＤＣＣＨ  ｏｒｄｅｒ)及びＭＡＣレイヤメッセージであるランダムアクセス応答メッセージが何の無線リソース(ＲＢ)に割り当てられているかを指示する物理階層(Ｌ１)の情報が送信されるＰＤＣＣＨ内のダウンリンク制御情報(ＤＣＩ：Ｄｏｗｎｌｉｎｋ  Ｃｏｎｔｒｏｌ  Ｉｎｆｏｒｍａｔｉｏｎ)は、ＥＰＤＣＣＨ(Ｅｘｔｅｎｄｅｄ  ＰＤＣＣＨ)で定義される下位階層制御チャネルを介して送信されることもできる。ＥＰＤＣＣＨは、ＲＢ(Ｒｅｓｏｕｒｃｅ  Ｂｌｏｃｋ)対(ｐａｉｒ)で構成される。ここで、ＲＢ対とは、一つのサブフレームを構成する２個のスロットの各々に対してＲＢで定義され、各ＲＢを一つの対で構成する場合、対と定義することができる。ここで、ＲＢ対を構成するそれぞれのＲＢは、同じ時間を有するスロットで構成されることができない。また、同じ周波数帯域に存在するＲＢで構成されることもでき、互いに異なる周波数帯域に存在するＲＢで構成されることもできる。これは図１３〜図１５で説明する。
【０１５７】
図１３は、本発明によるＤＣＩが拡張された物理ダウンリンク制御チャネルにマッピングされる一例を示す。
【０１５８】
図１３を参照すると、ダウンリンクサブフレームは、制御領域１３００とデータ領域１３０５とを含む。制御領域１３００にはＰＤＣＣＨ１３１０がマッピングされ、時間領域で２個〜４個のＯＦＤＭシンボルの長さを有する。データ領域１３０５にはＥＰＤＣＣＨ(Ｅｘｔｅｎｄｅｄ  ＰＤＣＣＨ)１３１５とＰＤＳＣＨ１３２０がマッピングされる。各ダウンリンク物理チャネル間の指示関係を見ると、ＰＤＣＣＨ１３１０は、ＥＰＤＣＣＨ１３１５の送信を指示し、ＥＰＤＣＣＨ１３１５は、実際送信されるユーザ情報が含まれているＰＤＳＣＨ１３２０を指示する。ＥＰＤＣＣＨ１３１５とＰＤＣＣＨ１３１０は、互いに異なるＤＬ  ＣＣにマッピングされることができ、ＰＤＣＣＨ１３１０によりキャリア間スケジューリング(ｃｒｏｓｓ  ｃａｒｒｉｅｒ  ｓｃｈｅｄｕｌｉｎｇ)されることができる。しかし、ＥＰＤＣＣＨ１３１５とＰＤＳＣＨ１３２０は、同じＤＬ  ＣＣに存在する。ＥＰＤＣＣＨ１３１５は、ＰＤＣＣＨ命令(ｏｒｄｅｒ)及びランダムアクセス応答メッセージの物理階層(Ｌ１)情報に対するＤＣＩを送信することができる。
【０１５９】
図１４は、本発明によるＤＣＩが拡張された物理ダウンリンク制御チャネルにマッピングされる他の例を示す。
【０１６０】
図１４を参照すると、制御領域１４００にマッピングされるＰＤＣＣＨ１４１０がデータ領域１４０５にマッピングされるＥＰＤＣＣＨの検索空間１４２３を指示する。端末は、ＰＤＣＣＨ１４１０の受信に使用したブラインドデコーディング(ｂｌｉｎｄ  ｄｅｃｏｄｉｎｇ)方式、即ち、巡回冗長検査(Ｃｙｃｌｉｃ  Ｒｅｄｕｎｄａｎｃｙ  Ｃｈｅｃｋ：ＣＲＣ)方式に基づくデータ検出方式を使用してＥＰＤＣＣＨの検索空間１４２３内でＥＰＤＣＣＨを検出しなければならない。また、ＥＰＤＣＣＨ１４２３とＰＤＣＣＨ１４１０は、互いに異なるＤＬ  ＣＣにマッピングされることができ、ＰＤＣＣＨ１４１０によりキャリア間スケジューリングされることができる。ＥＰＤＣＣＨ１４２３にはＰＤＣＣＨ命令(ｏｒｄｅｒ)及びランダムアクセス応答メッセージの物理階層(Ｌ１)情報が存在する。
【０１６１】
図１５は、本発明によるＤＣＩが拡張された物理ダウンリンク制御チャネルにマッピングされる他の例を示す。
【０１６２】
図１５を参照すると、ＥＰＤＣＣＨ１５０５は、ＰＤＣＣＨと関係なしにＥＰＤＣＣＨの検索空間１５１０に存在する。ＥＰＤＣＣＨの検索空間１５１０に対する情報は、上位階層(ＲＲＣ)で各端末毎に互いに異なる検索空間に対する情報(例えば、検索空間帯域幅情報)が提供され、又は複数の端末が共有する検索空間に対する情報がＲＲＣシグナリング又はブロードキャスティング方式により提供される。ここで、制御領域１５００は、存在しなくてもよい。即ち、除去されてもよい。
【０１６３】
この場合、端末は、ＥＰＤＣＣＨ１５０５を取得するために、ＥＰＤＣＣＨの検索空間１５１０をブラインドデコーディングしなければならない。もし、ＥＰＤＣＣＨの検索空間１５１０が１の場合、即ち、ＥＰＤＣＣＨの検索空間１５１０がＥＰＤＣＣＨ一つのみがマッピングされることができる空間であると定義された場合、各端末に割り当てられたＣ−ＲＮＴＩを利用したデータ検出方式により自分のＥＰＤＣＣＨを受信するかどうかを判断する方式を使用することができる。また、ＥＰＤＣＣＨ１５０５とＰＤＳＣＨ１５１５は、同じＤＬ  ＣＣに存在する。
【０１６４】
端末がそのサービングセルでＥＰＤＣＣＨ１５０５を受信するかＰＤＣＣＨを受信するかは、基地局が決定し、これは上位階層ＲＲＣシグナリングを介して各サービングセルに対して構成されることができる。
【０１６５】
端末が任意のサービングセルでＥＰＤＣＣＨ１３１５、１４２３、１５０５を受信するように設定された場合、端末は、端末を特定する方法で(ＵＥ  ｓｐｅｃｉｆｉｃ  ｍａｎｎｅｒ)送信されるＰＤＣＣＨを受信しない。したがって、端末は、任意のサービングセルで実行されるランダムアクセス手順でＥＰＤＣＣＨ１３１５、１４２３、１５０５を介してのみプリアンブル割当情報を含むランダムアクセス開始指示子を受信することができる。また、端末は、ＥＰＤＣＣＨ１３１５、１４２３、１５０５が指示するＰＤＳＣＨ１３２０、１４０５、１５１５内にあるランダムアクセス応答情報を受信することができる。したがって、端末は、本発明による各ＥＰＤＣＣＨにより指示されるＰＤＳＣＨ１３２０、１４０５、及び１５１５内のランダムアクセス応答メッセージ内のＴＡＣ及び/又はＴＡＧインデックスを決定することができる。
【０１６６】
また、図１２を参照すると、非コンテンションベースによって、端末は、ランダムアクセス応答メッセージを受信することによって、ランダムアクセス手順が正常に実行されたと判断し、ランダムアクセス手順を終了する。もし、端末が受信したプリアンブル割当情報内のプリアンブルインデックスが‘００００００’である場合、端末は、コンテンションベースのランダムアクセスプリアンブルのうち一つをランダムに選択し、ＰＲＡＣＨマスクインデックス値も‘０’に設定した後、コンテンションベースの手順に実行する。また、プリアンブル割当情報は、ＲＲＣのような上位階層のメッセージ(例えば、ハンドオーバコマンド内の移動制御情報(ＭＣＩ：Ｍｏｂｉｌｉｔｙ  Ｃｏｎｔｒｏｌ  Ｉｎｆｏｒｍａｔｉｏｎ))を介して端末に送信されることができる。
【０１６７】
図１６は、本発明の他の例に係るランダムアクセス手順を使用したＴＡＣの受信を説明するフローチャートである。これはコンテンションベースのランダムアクセス手順である。端末は、基地局とデータを送受信するためにアップリンク同期を必要とする。端末は、アップリンク同期のために基地局から同期に必要な情報を受信する過程を実行することができる。ランダムアクセス手順は、端末がネットワークにハンドオーバなどを介して新たに結合する場合にも適用することができ、ネットワークに結合した後、同期化又はＲＲＣの状態がＲＲＣ_ＩＤＬＥからＲＲＣ_ＣＯＮＮＥＣＴＥＤに状態を変更する等の多様な状況で実行されることができる。
【０１６８】
図１６を参照すると、端末は、ランダムアクセスプリアンブルシグネチャ(ｓｉｇｎａｔｕｒｅ)のセットから任意に一つのプリアンブルシグネチャを選択し、選択されたプリアンブルシグネチャによるランダムアクセスプリアンブルを、ＰＲＡＣＨリソース(ＰＲＡＣＨ  ｒｅｓｏｕｒｃｅ)を利用して代表サービングセルを介して基地局に送信する(Ｓ１６００)。代表サービングセルは、端末に構成されるタイミングアライメントグループでランダムアクセスプリアンブルを送信するように選択されたサービングセルである。
【０１６９】
ランダムアクセスプリアンブルを送信するように選択されたという意味は、そのタイミングアライメントグループ内の全てのサービングセルからランダムアクセス手順にプリアンブルを送信するための構成情報を受信したという意味であり、又はランダムアクセス手順が可能なタイミングアライメントグループ内の複数のサービングセルからＰＤＣＣＨ命令(ｏｒｄｅｒ)を介してランダムアクセス手順の指示を受けたという意味である。また、代表サービングセルは、以後ランダムアクセス応答を介して受信されるタイミングアライメント値を適用するために基準になるタイミングリファレンスであるダウンリンクＣＣを含むサービングセルである。
【０１７０】
代表サービングセルは、タイミングアライメントグループ毎に選択されることができる。また、端末は、複数のタイミングアライメントグループのうち、いずれか一つのタイミングアライメントグループ内の代表サービングセル上にランダムアクセスプリアンブルを送信することもでき、２個以上のタイミングアライメントグループ内のそれぞれの代表サービングセル上にランダムアクセスプリアンブルを送信することもできる。
【０１７１】
ランダムアクセス手順は、代表サービングセルが活性化された以後に実行されることができる。また、副サービングセルに対するランダムアクセス手順は、基地局により送信されるＰＤＣＣＨ命令(ｏｒｄｅｒ)によって開始されることができる。
【０１７２】
ランダムアクセスプリアンブルのセットの構成に対する情報は、システム情報の一部又はハンドオーバコマンド(ｈａｎｄｏｖｅｒ  ｃｏｍｍａｎｄ)メッセージを介して基地局から得ることができる。ここで、端末は、プリアンブル選択又はＲＡＣＨ送信のために臨時選択した周波数リソースと送信時点を考慮してＲＡ−ＲＮＴＩ(Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ)を認知することができる。
【０１７３】
基地局は、受信された端末のランダムアクセスプリアンブルに対する応答としてランダムアクセス応答メッセージを端末に送信する(Ｓ１６０５)。このとき、使われるチャネルは、ＰＤＳＣＨである。ランダムアクセス応答メッセージは、ＭＡＣ  ＲＡＲ(ｒａｎｄｏｍ  ａｃｃｅｓｓ  ｒｅｓｐｏｎｓｅ)の形式に送信されることができ、端末のアップリンク同期化のためのタイミングアドバンスコマンド、アップリンク無線リソース割当情報、ランダムアクセスを実行する端末を識別するためのランダムアクセスプリアンブル識別子(Ｒａｎｄｏｍ  Ａｃｃｅｓｓ  Ｐｒｅａｍｂｌｅ  ＩＤｅｎｔｉｆｉｅｒ：ＲＡＰＩＤ)、端末のランダムアクセスプリアンブルを受信したタイムスロットに対する情報及び臨時(ｔｅｍｐｏｒａｒｙ)Ｃ−ＲＮＴＩのような端末の臨時識別子を含む。ランダムアクセスプリアンブル識別子は、受信したランダムアクセスプリアンブルを識別するためである。
【０１７４】
ここで、基地局は、ステップＳ１６１０でランダムアクセス応答メッセージを使用せずに端末にタイミングアライメントコマンド(ＴＡＣ)を送信することができる。タイミングアライメントコマンド(ＴＡＣ)は、ＴＡＶが適用されるＴＡＧに対するインデックス情報と共に送信されることができる。ＴＡＣフィールドは、ＴＡＧ内の全てのサービングセルのアップリンクタイミングを同等に又は同一に調整するＴＡＶを指示する。ＴＡＶは、特定インデックスとして与えられることができる。他の例として、ランダムアクセス応答メッセージは、ＴＡＧに対するＴＡＣと代表サービングセルを有するＴＡＧのインデックスを含む。
【０１７５】
端末は、ステップＳ１６１０で、ＴＡＣによってＴＡＶに基づいて決定されるスケジューリングタイミングにランダムアクセス識別子を含むアップリンクデータを、ＰＵＳＣＨを介して基地局に送信する。端末は、ＴＡＣ及び/又はＴＡＧインデックスを確認/識別し、アップリンクデータを送信する前に、ＴＡＣフィールドによってＴＡＶを使用して確認されたＴＡＧ内の全てのサービングセルに対するアップリンクタイミングを調整することができる。ＴＡＶによって調整されるアップリンクタイミングの例が数式１〜数式４に示されている。ＴＡＣ及び/又は複数のＴＡＧに対するＴＡＧインデックスがランダムアクセス応答メッセージ内に存在する場合、端末は、関連ＴＡＣフィールドによってＴＡＶによりそれぞれのＴＡＧにおけるサービングセルに対するアップリンクタイミングを調整する。もちろん、端末は、ランダムアクセス応答メッセージ内のＴＡＣ及び/又はＴＡＧインデックスを決定することもできる。
【０１７６】
アップリンクデータは、ＲＲＣ接続要求(ＲＲＣ  Ｃｏｎｎｅｃｔｉｏｎ  Ｒｅｑｕｅｓｔ)、トラッキング領域変更(Ｔｒａｃｋｉｎｇ  Ａｒｅａ  ｕｐｄａｔｅ)、スケジューリング要求(Ｓｃｈｅｄｕｌｉｎｇ  ｒｅｑｕｅｓｔ)又は端末がアップリンクに送信するデータに対するバッファ状態報告(Ｂｕｆｆｅｒ  ｓｔａｔｕｓ  ｒｅｐｏｒｔｉｎｇ)を含むことができる。ランダムアクセス識別子は、臨時Ｃ−ＲＮＴＩ、Ｃ−ＲＮＴＩ(ＵＥが含んでいる状態)、又は端末識別子情報(ＵＥ  ｃｏｎｔｅｎｔｉｏｎ  ｒｅｓｏｌｕｔｉｏｎ  ｉｄｅｎｔｉｆｙ)などを含むことができる。タイミングアライメント値を適用することによって、端末は、タイミングアライメントタイマ(ｔｉｍｉｎｇ  ａｌｉｇｎｍｅｎｔ  ｔｉｍｅｒ)を開始又は再開始する。もし、以前にタイミングアライメントタイマが作動中である場合には、タイミングアライメントタイマを再開始し、以前にタイミングアライメントタイマが作動中でない場合には、タイミングアライメントタイマを開始する。
【０１７７】
Ｓ１６００〜Ｓ１６１０の過程で、複数の端末のランダムアクセスプリアンブル送信が衝突（ｃｏｌｌｉｄｅ）することがあるため、基地局は、ランダムアクセスが成功して終了されることを知らせるコンテンション解決メッセージを端末に送信する(ステップＳ１６１５)。コンテンション解決メッセージは、ランダムアクセス識別子を含むことができる。コンテンションベースのランダムアクセス手順において、可能なランダムアクセスプリアンブルの数が有限であるため、コンテンションが発生する。セル内の全ての端末に固有のランダムアクセスプリアンブルを付与することができないため、端末は、ランダムアクセスプリアンブルのセットの中から任意に一つのランダムアクセスプリアンブルを選択して送信する。これにより、同じＰＲＡＣＨリソースを介して二つ以上の端末が同じランダムアクセスプリアンブルを選択して送信することができる。
【０１７８】
このとき、アップリンクデータの送信は全部失敗し、又は端末の位置又は送信パワーによって基地局が特定端末のアップリンクデータのみの受信に成功する。アップリンクデータを基地局での受信に成功した場合、基地局は、アップリンクデータに含まれているランダムアクセス識別子を利用してコンテンション解決メッセージを送信する。自分のランダムアクセス識別子を受信した端末は、コンテンション解決が成功したことを知ることができる。コンテンションベースのランダムアクセス手順で、端末がコンテンションの失敗又は成功可否を知るようにすることをコンテンション解決という。
【０１７９】
コンテンション解決メッセージを受信する場合、端末は、コンテンション解決メッセージが自分のものであるかどうかを確認する。確認結果、自分のものであると、端末は、基地局にＡＣＫを送って、他の端末のものであると、応答データを送らない。もちろん、ダウンリンク割当に失敗した場合、又はメッセージをデコーディングできない場合にも応答データを送らない。また、コンテンション解決メッセージは、Ｃ−ＲＮＴＩ又は端末識別子情報などを含むことができる。
【０１８０】
以下、本発明の他の例として、ＭＡＣレイヤシグナリングと連係したＴＡＣとＴＡＧインデックス(又は、ＴＡＧ  ＩＤ)を送信して受信する方法が開示される。端末は、アップリンク同期のためのタイミングアライメント値をランダムアクセス手順とは関係ないＭＡＣ階層のシグナリングを介して取得することもできる。このとき、タイミングアライメント値がＭＡＣ階層のシグナリングを介して取得される場合、ＭＡＣ  ＰＤＵは、特定ＭＡＣ制御要素がタイミングアドバンスコマンドフィールドを含むことを指示するために、ＬＣＩＤフィールドを含むサブヘッダを有するヘッダと、ＭＡＣ制御要素にタイミングアライメントグループフィールド及びタイミングアドバンスコマンドフィールドとを含む。
【０１８１】
図１７は、本発明が適用されるＭＡＣ  ＰＤＵ構造を示す。
【０１８２】
図１７を参照すると、ＭＡＣ  ＰＤＵ１７００は、ＭＡＣヘッダ(ｈｅａｄｅｒ)１７１０、少なくとも一つのＭＡＣ制御要素１７２０,...,１７２５、少なくとも一つのＭＡＣ  ＳＤＵ(Ｓｅｒｖｉｃｅ  Ｄａｔａ  Ｕｎｉｔ)１７３０−１,...,１７３０−ｍ、及びパディング(ｐａｄｄｉｎｇ)１７４０を含む。
【０１８３】
ＭＡＣヘッダ１７１０は、少なくとも一つのサブヘッダ(ｓｕｂ−ｈｅａｄｅｒ)１７１０−１,１７１０−２,...,１７１０−ｋを含み、各サブヘッダ１７１０−１,１７１０−２,...,１７１０−ｋは、ＭＡＣ  ＳＤＵ１７３０−１,...,１７３０−ｍ又は一つのＭＡＣ制御要素１７２０,...,１７２５又はパディング１７４０に１：１に対応(ｃｏｒｒｅｓｐｏｎｄｉｎｇ)することができる。サブヘッダ１７１０−１,１７１０−２,...,１７１０−ｋの順序は、ＭＡＣ  ＰＤＵ１７００内で対応するＭＡＣ  ＳＤＵ１７３０−１,...,１７３０−ｍ、ＭＡＣ制御要素１７２０,...,１７２５又はパディング１７４０の順序と同一に配置される。
【０１８４】
各サブヘッダ１７１０−１,１７１０−２,...,１７１０−ｋは、Ｒ、Ｒ、Ｅ、ＬＣＩＤのように４個のフィールドを含み、又はＲ、Ｒ、Ｅ、ＬＣＩＤ、Ｆ、Ｌのように６個のフィールドを含むことができる。４個のフィールドを含むサブヘッダは、ＭＡＣ制御要素１７２０,...,１７２５又はパディング１７４０に対応するサブヘッダであり、６個のフィールドを含むサブヘッダは、ＭＡＣ  ＳＤＵに対応するサブヘッダである。
【０１８５】
論理チャネル識別情報(Ｌｏｇｉｃａｌ  Ｃｈａｎｎｅｌ  ＩＤ：ＬＣＩＤ)フィールドは、ＭＡＣ  ＳＤＵ１７３０−１,...,１７３０−ｍに対応する論理チャネルを識別し、又はＭＡＣ制御要素１７２０,...,１７２５又はパディング１７４０の種類(ｔｙｐｅ)を識別する識別フィールドであり、各サブヘッダ１７１０−１,１７１０−２,...,１７１０−ｋがオクテット(ｏｃｔｅｔ)構造を有する時、ＬＣＩＤフィールドは５ビットである。
【０１８６】
例えば、ＬＣＩＤフィールドは、ＬＣＩＤ値によって表６のように対応するＭＡＣ制御要素がサービングセルの活性化/非活性化を指示するためのＭＡＣ制御要素であるか、又は端末間のコンテンション解決のためのコンテンション解決識別子(Ｃｏｎｔｅｎｔｉｏｎ  Ｒｅｓｏｌｕｔｉｏｎ  Ｉｄｅｎｔｉｔｙ)ＭＡＣ制御要素であるか、又はタイミングアドバンスコマンドのためのＭＡＣ制御要素であるかを識別する。タイミングアドバンスコマンドのためのＭＡＣ制御要素は、タイミングアライメントのために使われるＭＡＣ制御要素であり、タイミングアドバンスコマンドフィールドを含む。
【０１８７】
【表６】
0005766873.tif 000007
【０１８８】
表６を参照すると、ＬＣＩＤフィールドの値が１１１０１の場合、そのＬＣＩＤフィールドを含むサブヘッダに対応するＭＡＣ制御要素は、タイミングアドバンスコマンドのためのＭＡＣ制御要素である。
【０１８９】
一方、複数のサービングセルが端末に構成されることによってタイミングアドバンスコマンドが複数のサービングセルに対して与えられる時、ＬＣＩＤフィールドは、表７のように与えられることもできる。
【０１９０】
【表７】
0005766873.tif 000008
【０１９１】
表７を参照すると、ＬＣＩＤフィールドの値が１１０１０の場合、そのＬＣＩＤフィールドを含むサブヘッダに対応するＭＡＣ制御要素は、複数のサービングセルに対するタイミングアドバンスコマンドのためのＭＡＣ制御要素である。
【０１９２】
ＭＡＣ制御要素１７２０,...,１７２５は、ＭＡＣ階層が生成する制御メッセージである。パディング(ｐａｄｄｉｎｇ)１７４０は、ＭＡＣ  ＰＤＵの大きさを一定にするように添加される所定個数のビットである。ＭＡＣ制御要素１７２０,...,１７２５、ＭＡＣ  ＳＤＵ１７３０−１,...,１７３０−ｍ、及びパディング１７４０をまとめてＭＡＣペイロード(ｐａｙｌｏａｄ)とも呼ばれる。
【０１９３】
アップリンクタイミングアライメントのために、基地局は、特定タイミングアライメントグループのインデックスと、特定タイミングアライメントグループに共通的に適用されるタイミングアライメント値を端末に送信し、このために、タイミングアドバンスコマンドのためのＭＡＣ制御要素が使われることができる。タイミングアドバンスコマンドのためのＭＡＣ制御要素の例示は、図１８〜図２０の通りである。
【０１９４】
図１８は、本発明の一例に係るタイミングアドバンスコマンドのためのＭＡＣ制御要素を示すブロック図である。
【０１９５】
図１８を参照すると、タイミングアドバンスコマンドのためのＭＡＣ制御要素は、タイミングアライメントグループ(ＴＡＧ)のインデックス(ｉｎｄｅｘ)フィールドＧ１、Ｇ０及びタイミングアドバンスコマンド(Ｔｉｍｉｎｇ  Ａｄｖａｎｃｅ  Ｃｏｍｍａｎｄ：ＴＡＣ)フィールドを含む。ここで、タイミングアライメントグループのインデックスは、ＴＡＧインデックス又はタイミングアライメントグループの識別子(ｉｄｅｎｔｉｆｉｅｒ：ＩＤ)とも呼ばれる。タイミングアドバンスコマンドフィールドは、タイミングアライメント値を指示する。タイミングアドバンスコマンドのためのＭＡＣ制御要素がオクテット(ｏｃｔｅｔ)構造である時、タイミングアライメントグループのインデックスフィールドは２ビットであり、タイミングアドバンスコマンドフィールドは６ビットである。タイミングアライメントグループインデックスは、タイミングアライメントグループ構成情報で定義される。例えば、タイミングアライメントグループのインデックスフィールドＧ１、Ｇ０として２ビットが使われる場合、タイミングアライメントグループが４個であり、タイミングアライメントグループインデックスが０、１、２、３の場合、Ｇ１、Ｇ０＝{００,０１,１０,１１}で表示されることができる。
【０１９６】
もし、タイミングアライメントグループの最大個数が２個である場合、２ビットのタイミングアライメントグループインデックスフィールドのうちいずれか一つ、例えば、Ｇ１は、予約的(Ｒｅｓｅｒｖｅｄ)ビットＲに設定され、又はタイミングアライメントグループインデックスフィールドが１ビットのみ定義され、タイミングアドバンスコマンドフィールドが７ビットに定義される。
【０１９７】
タイミングアライメントグループインデックスフィールドのビット数とタイミングアドバンスコマンドフィールドのビット数は例示に過ぎず、必ず各々２個と６個に限定されない。また、主サービングセルが含まれているタイミングアライメントグループのインデックス値は‘００’又は‘０’に固定されることができる。
【０１９８】
図１９は、本発明の他の例に係るタイミングアドバンスコマンドのためのＭＡＣ制御要素を示すブロック図である。
【０１９９】
図１９を参照すると、タイミングアドバンスコマンドのためのＭＡＣ制御要素は、オクテット１(Ｏｃｔ１),...,オクテットＮ(ＯｃｔＮ)を含む。各オクテットは、タイミングアライメントグループ(ＴＡＧ)のインデックスフィールドＧ１、Ｇ０及びタイミングアドバンスコマンド(Ｔｉｍｉｎｇ  Ａｄｖａｎｃｅ  Ｃｏｍｍａｎｄ：ＴＡＣ)フィールドを含む。
【０２００】
例えば、端末がアップリンク同期のためにＴＡＧ１に対するタイミングアライメント値と、ＴＡＧ２に対するタイミングアライメント値を各々必要とすると仮定する。基地局は、図１７のようなＭＡＣ  ＰＤＵにおいて２個オクテットのタイミングアドバンスコマンドのためのＭＡＣ制御要素を含む(即ち、Ｎ＝２の場合)。ここで、１番目のオクテットは、ＴＡＧ１のインデックスを指示する第１のタイミングアライメントグループのインデックスフィールド及びＴＡＧ１のタイミングアライメント値を示す第１のタイミングアドバンスコマンドフィールドを含む。２番目のオクテットは、ＴＡＧ２のインデックスを指示する第２のタイミングアライメントグループのインデックスフィールド及びＴＡＧ２のタイミングアライメント値を示す第２のタイミングアドバンスコマンドフィールドを含む。
【０２０１】
再び説明すると、各オクテット内に２ビットのＧ１、Ｇ０フィールド、即ち、タイミングアライメントグループ(ＴＡＧ)のインデックスフィールドは、アップリンクタイミング調整を実行するグループを指示し、その対応したグループのためのタイミングアライメント値を、タイミングアドバンスコマンド(Ｔｉｍｉｎｇ  Ａｄｖａｎｃｅ  Ｃｏｍｍａｎｄ：ＴＡＣ)が指示する。
【０２０２】
複数個のグループインデックスと各グループに対応する複数個のタイミングアライメント値を含むＭＡＣメッセージを利用することで、端末は、一つのメッセージを介して複数個のグループに対して設定されたタイミングアライメント値によって同一/可変的なタイミング調整を実行することができる。即ち、端末に複数のタイミングアライメントグループが構成される場合、複数のタイミングアライメントグループに対するタイミングアライメント値を知らせるＭＡＣ制御要素を構成することができる。
【０２０３】
端末は、ＴＡＧ１のタイミングアライメント値をＴＡＧ１に属する全てのサービングセルに適用してタイミングアライメントを実行し、ＴＡＧ２のタイミングアライメント値をＴＡＧ２に属する全てのサービングセルに適用してタイミングアライメントを実行する。
【０２０４】
図２０は、本発明の他の例に係るタイミングアドバンスコマンドのためのＭＡＣ制御要素を示すブロック図である。
【０２０５】
図２０を参照すると、タイミングアドバンスコマンドのためのＭＡＣ制御要素は、オクテット１(Ｏｃｔ１),...,オクテットＮ(Ｏｃｔ  Ｎ)を含む。オクテット１は、それぞれのサービングセル(又は、ＣＣ)に対する指示子を含む。このような指示子は、サービングセルに対するタイミングアドバンスコマンドフィールドの有無を指示することもできる。例えば、Ｇ０は、ＴＡＧ０、即ち、主サービングセルが含まれているＴＡＧに対するタイミングアドバンスコマンドフィールドが存在するかどうかを指示する指示子であり、Ｇ１は、ＴＡＧ１に対するタイミングアドバンスコマンドフィールドが存在するかどうかを指示する指示子であり、Ｇ７は、ＴＡＧ７に対するタイミングアドバンスコマンドフィールドが存在するかどうかを指示する指示子である。したがって、ＴＡＧ０、ＴＡＧ１、ＴＡＧ３を指示するＧ０、Ｇ１、Ｇ３は、１に設定され、その他のＧ２、Ｇ４〜Ｇ７は、０に設定される。そして、ＴＡＧ０、ＴＡＧ１、ＴＡＧ３に対するＴＡＣ値は順次にマッピングされる。図２２の構成を利用する場合、特定ＴＡＧに対するアップデートが必要なそのＴＡＧに対してＴＡＣ値を設定することができる。残りのオクテット２,...,オクテットＮは、予約されたフィールド(Ｒ)及びタイミングアドバンスコマンド(ＴＡＣ)フィールドを含む。
【０２０６】
図２１及び図２２は、本発明の他の例に係るタイミングアドバンスコマンドのためのＭＡＣ  ＲＡＲを示すブロック図である。
【０２０７】
図２１及び図２２を参照すると、タイミングアドバンスコマンドのためのＭＡＣ制御要素は、タイミングアライメントグループ(ＴＡＧ)のインデックスフィールドＧ１、Ｇ０及びタイミングアドバンスコマンド(Ｔｉｍｉｎｇ  Ａｄｖａｎｃｅ  Ｃｏｍｍａｎｄ：ＴＡＣ)フィールドを含む。タイミングアドバンスコマンドのためのＭＡＣ制御要素が２個のオクテット(ｏｃｔｅｔ)で構成された構造である時、予約された(ｒｅｓｅｒｖｅｄ)ビットは３ビット、タイミングアライメントグループのインデックスフィールドは２ビット、タイミングアドバンスコマンドフィールドは１１ビットとなる。もし、タイミングアライメントグループのインデックスフィールドが１ビット又は３ビットである場合、予約されたビットは、各々、４ビット又は２ビットとなる。ここで、図２２のように予約されたビットのうち一つのビットは、最上位ビットを使用しないビット(Ｘ)に設定されることもできる。
【０２０８】
ＴＡＣフィールドは１１ビットであり、これはランダムアクセス手順で使われるメッセージ形式であり、ランダムアクセス応答メッセージに含まれて送信されることができる。
【０２０９】
図２３は、本発明の一例に係るアップリンク同期を実行する端末の動作フローチャートである。
【０２１０】
図２３を参照すると、端末は、アシスタント情報を基地局に送信する(Ｓ２３００)。分類アシスタント情報は、端末に構成された少なくとも一つのサービングセルをタイミングアライメントグループに分類するときに必要な情報又は基準を提供する。一方、基地局が分類アシスタント情報を別途に知ることもでき、又は既に保有することもできる。その場合、本実施例に係るランダムアクセスは、ステップＳ２３００が省略された状態で実行されてもよい。
【０２１１】
ここで、アイドルモードである端末は、コンポーネントキャリアを集約（ａｇｇｒｅｇａｔｅ）することができず、ＲＲＣ接続モードである端末のみがコンポーネントキャリアを集約することができる場合、アイドルモードである端末は、ステップＳ２３００以前にコンポーネントキャリアの集約前にＲＲＣ接続のためのセルを選択し、選択されたセルを介して基地局に対してＲＲＣ接続設定手順を実行することができる。
【０２１２】
端末は、タイミングアライメントグループ構成を基地局から受信する(Ｓ２３０５)。タイミングアライメントグループは、少なくとも一つのサービングセルを含むグループであり、タイミングアライメントグループ内のサービングセルに対しては同じタイミングアライメント値が適用される。即ち、単一タイミングアライメント値は、ＴＡＧ内の全てのサービングセルに同一に適用される。一例として、基地局は、端末を特定する方法でタイミングアライメントグループを構成することができる。他の例として、基地局は、セルを特定する方法でタイミングアライメントグループを構成することができる。タイミングアライメントグループ構成情報は、ＲＲＣシグナリングを介して受信されることができる。または、タイミングアライメントグループ構成情報は、ＭＡＣメッセージを介して受信されることもできる。
【０２１３】
タイミングアライメントグループ構成情報は、タイミングアライメントグループが構成された状態を記述する。一例として、タイミングアライメントグループ設定情報は、タイミングアライメントグループの個数フィールド、各タイミングアライメントグループのインデックスフィールド、及び各タイミングアライメントグループが含むサービングセルのインデックスフィールドを含むことができ、それらのフィールドは、タイミングアライメントグループが構成された状態を記述する。
【０２１４】
他の例として、タイミングアライメントグループ構成情報は、各タイミングアライメントグループ内の代表サービングセル情報をさらに含むことができる。代表サービングセルは、各タイミングアライメントグループ内でアップリンク同期維持及び設定のためのランダムアクセス手順を実行することができるサービングセルである。もし、上記の実施例とは違って、タイミングアライメントグループ構成情報が代表サービングセルを含まない場合、端末は、直接、各タイミングアライメントグループ内の代表サービングセルを選択することができる。
【０２１５】
以後、端末は、ランダムアクセス手順を実行し(Ｓ２３１０)、このステップで、端末は、ランダムアクセスプリアンブルを基地局に送信し、基地局からタイミングアライメントコマンド(ＴＡＣ)を含むランダムアクセス応答メッセージを受信することができる。例えば、端末は、基地局からＭＡＣ  ＲＡＲ形態のランダムアクセス応答メッセージを受信し、これはランダムアクセスプリアンブルに対応する応答として、ＭＡＣ  ＲＡＲ内のタイミングアライメントコマンド(ＴＡＣ)、即ち、タイミング調整値(ＴＡ)を含むランダムアクセス応答メッセージを受信することができる。このとき、タイミングアライメントコマンド(ＴＡＣ)を実行するためのタイミング調整グループに対するインデックス情報(即ち、ＴＡＧ  ＩＤ)を受信することができる。
【０２１６】
他の例として、端末は、ランダムアクセス応答メッセージを受信(ステップＳ２３１０)した後、ステップＳ２３１５で、基地局からＴＡＣフィールドを受信することができる。また、端末は、ステップＳ２３１０でランダムアクセス応答メッセージの受信なしに、ステップＳ２３１５で基地局からＴＡＣフィールドを受信してもよい。
【０２１７】
より詳しくは、端末は、図１８〜図２０と連係して説明された通り、ＭＡＣ  ＰＤＵを介してＴＡＣフィールドを受信することができる。ＭＡＣ  ＰＤＵは、ＴＡＧインデックスフィールドとＴＡＣフィールドを有するＭＡＣ  ＣＥに対応するサブヘッダを含むヘッダを備える。したがって、端末は、ＭＡＣ  ＰＤＵからＴＡＣフィールドに対するＴＡＧインデックスを含むＭＡＣ  ＣＥとサブヘッダを取得することができる。即ち、端末は、ＴＡＣに対するＬＣＩＤ値として、ＬＣＩＤインデックスが１１１０１に設定されることを確認した後、ＭＡＣ  ＣＥからＴＡＣフィールドとＴＡＧインデックスフィールドを取得する。ＭＡＣ  ＣＥは、それぞれのＴＡＧに対応するそれぞれのＴＡＶを含むこともできる。
【０２１８】
このような本発明によると、端末は、ＭＡＣ  ＰＤＵ内のヘッダに含まれているサブヘッダのうちタイミングアライメント値を含むＭＡＣ制御要素を指示する値を有するＬＣＩＤフィールドを確認する。即ち、ＬＣＩＤフィールドにタイミングアドバンスコマンドフィールドを含むかを示す特定インデックスのＬＣＩＤフィールドの値(例えば、１１１０１)に基づいて確認する。
【０２１９】
そして、その確認の結果、ＭＡＣ制御要素がタイミングアドバンスコマンドフィールドを含むことを確認した場合、端末は、対応するＭＡＣ制御要素におけるタイミングアドバンスコマンドのフィールドによって指示されるタイミングアライメント値を決定（または取得または確認）する。端末は、タイミングアライメントグループ(ＴＡＧ)のインデックス(ｉｎｄｅｘ)フィールドＧ１、Ｇ０、即ち、２ビットによって４個のタイミングアライメントグループを確認することができる。そして、端末は、タイミングアドバンスコマンド(ｔｉｍｉｎｇ  ａｄｖａｎｃｅ  ｃｏｍｍａｎｄ：ＴＡＣ)フィールドによって指示されるタイミングアライメント値で、タイミングアライメントグループのサービングセルのアップリンクタイミングを調整する。言い換えると、端末は、確認されたタイミングアライメントグループ内の少なくとも一つ以上又は全てのサービングセルに対して関連するアップリンクタイミングを、タイミングアライメント値によって制御する。したがって、端末は、アップリンクタイミングを調整する動作を実行する。一例として、端末は、２ビットのＧ１、Ｇ０フィールドが００に設定されることを確認した場合、主サービングセルを含むｐＴＡＧ内のサービングセルのアップリンクタイミングを、タイミングアライメント値を適用して制御する。
【０２２０】
もし、タイミングアドバンスコマンドのためのＭＡＣ制御要素内に、図１９又は図２０に記述されたような複数のタイミングアライメントグループに対するタイミングアドバンスコマンドフィールド及び/又はタイミングアライメントグループインデックスが存在する場合、端末は、各タイミングアライメントグループのサービングセルのアップリンクタイミングを、タイミングアドバンスコマンドのフィールドのそれぞれによって指示されたタイミングアライメント値によって調整する。ここで、タイミングアライメント値によって調整されるアップリンクタイミングの例示は数式１〜数式４で説明する。
【０２２１】
図２４は、本発明の一例に係るアップリンク同期を実行する基地局の動作フローチャートである。
【０２２２】
図２４を参照すると、基地局は、アシスタント情報を端末から受信する(ステップＳ２４００)。アシスタント情報は、端末に構成された少なくとも一つのサービングセルをタイミングアライメントグループに分類するときに必要な情報又は基準を提供する。一方、基地局が分類アシスタント情報を別途に知ることもでき、又は既に保有することもできる。その場合、本実施例に係るランダムアクセスは、ステップＳ２４００が省略された状態で実行されてもよい。
【０２２３】
基地局は、分類アシスタント情報に基づいてタイミングアライメントグループを構成し(ステップＳ２４０５)、タイミングアライメントグループ構成情報を端末に送信する(ステップＳ２４１０)。タイミングアライメントグループは、少なくとも一つのサービングセルを含むグループである。一つのタイミングアライメントグループ内のサービングセルに対しては同じタイミングアライメント値が適用される。一例として、基地局は、端末を特定する方法でタイミングアライメントグループを構成することができる。他の例として、基地局は、セルを特定する方法でタイミングアライメントグループを構成することができる。タイミングアライメントグループ構成情報は、タイミングアライメントグループが構成された状態を記述する。
【０２２４】
次に、基地局は、ランダムアクセス手順を実行することができる(ステップＳ２４１５)。このステップで、基地局は、端末からランダムアクセスプリアンブルを受信し、ランダムアクセス応答メッセージを端末に送信する。基地局は、ステップＳ２４１５で、ランダムアクセス応答メッセージを使用せずにタイミングアライメントコマンド(ＴＡＣ)フィールドを端末に送信することができる。ここで、ランダムアクセス応答メッセージは、ＭＡＣ  ＲＡＲ及び対応サブヘッダを含むことによって送信される。ここで、ＭＡＣ  ＲＡＲは、ランダムアクセス応答メッセージのデータ要素であり、対応サブヘッダは、ランダムアクセスプリアンブル識別子(ＲＡＰＩＤ)フィールドを含む。本発明によれば、基地局は、ＭＡＣ  ＲＡＲ内にＴＡＣフィールドを含んで送信することができる。
【０２２５】
また、ステップＳ２４１５とは別に、基地局は、ＴＡＣフィールドを端末に送信することができる(ステップＳ２４２０)。詳しくは、基地局は、ＴＡＣ及び/又はＴＡＧインデックスを決定することもでき、ＴＡＣ及び/又はＴＡＣに対するＴＡＧインデックスを送信することもできる。基地局は、ＭＡＣ  ＰＤＵ内に、図１８〜図２０で説明したようなＴＡＣフィールドを含むことによってＭＡＣ  ＰＤＵを生成する。基地局は、ヘッダとＭＡＣ  ＣＥを含むことによってＭＡＣ  ＰＤＵを送信する。ここで、ヘッダは、ＭＡＣ  ＣＥに対応するサブヘッダを含み、ＭＡＣ  ＣＥは、ＴＡＧインデックスフィールドとＴＡＣフィールドを含む。ここで、基地局は、ランダムアクセス応答メッセージなしにＴＡＣに対するＭＡＣ  ＰＤＵを送るようにＴＡＣに対するＬＣＩＤ値のサブヘッダを設定することができる。
【０２２６】
基地局は、２ビットによって定義された４個のＴＡＧを示すようにＴＡＧインデックスフィールドＧ１、Ｇ０を定める。即ち、端末で構成されることができる最大ＴＡＧ個数は、２ビットの長さのＴＡＧインデックスフィールドＧ１、Ｇ０により４個になる。基地局は、４個のＴＡＧのうち、所定ＴＡＧを指示するようにＴＡＧインデックスフィールドを定める。そして、ｐＴＡＧに対しアップリンクタイミング制御が必要であると決定すると、基地局は、Ｇ１、Ｇ０を００に設定する。そして、基地局は、ＴＡＣフィールドをｐＴＡＧ内の全てのサービングセルに適切なＴＡＶに設定する。
【０２２７】
即ち、本発明によれば、基地局は、サブヘッダに対応するＭＡＣ制御要素がタイミングアドバンスコマンドのためのものであることを指示するために、ＬＣＩＤの値が特定のインデックス（例えば、１１０１０）に設定された(又は、構成された)ＬＣＩＤフィールドを含むサブヘッダを有するヘッダと、そのグループを指示するタイミングアライメントグループインデックスフィールドとタイミングアドバンスコマンドフィールドを含むＭＡＣ制御要素を生成する。そして、基地局は、ヘッダ及びＭＡＣ  ＣＥを含むＭＡＣ  ＰＤＵを送信し、生成されたＭＡＣ  ＰＤＵを端末に送信する。
【０２２８】
図２５は、本発明による多重コンポーネントキャリアシステムにおいて、タイミングアライメント値を利用してアップリンク同期を実行する方法を説明する説明図である。
【０２２９】
図２５を参照すると、基準時間(ｒｅｆｅｒｅｎｃｅ  ｔｉｍｅ)は、ダウンリンク又はアップリンクの同期の基準となる時間を意味する。基準時間を提供するサービングセルをタイミングリファレンスセルという。ここで、基準時間は、ダウンリンクのフレームが端末に受信され、同期され、そして確認された時点に設定されたと仮定する。端末にはサービングセル１(ＳＣｅｌｌ１)、サービングセル２(ＳＣｅｌｌ２)、サービングセル３(ＳＣｅｌｌ３)、サービングセル４(ＳＣｅｌｌ４)、サービングセル５(ＳＣｅｌｌ５)が構成される。このとき、一例として、サービングセル１(ＳＣｅｌｌ１)がＰｃｅｌｌに設定されることができる。
【０２３０】
基地局は、サービングセル１、サービングセル３、サービングセル４を一つのタイミングアライメントグループ１(ＴＡＧ１)で構成し、サービングセル２、サービングセル５を他の一つのタイミングアライメントグループ２(ＴＡＧ２)で構成する。したがって、Ｐｃｅｌｌを含むＴＡＧ１は、ｐＴＡＧで構成可能である。ｐＴＡＧのサービングセルの現在のアップリンクタイミングは、基準時間と比較してＴＡ１ほど遅延される。そのため、基地局は、ＴＡＧ１のサービングセルのアップリンクタイミングが、第１のタイミングアドバンスコマンドフィールドにおける第１のタイミングアライメント値を示すＴＡ１ほど現在より前進するように第１のタイミングアライメント値を設定する。基地局は、ｐＴＡＧを指示するために第１のタイミングアライメントグループインデックスフィールドを００に設定し、第１のタイミングアドバンスコマンドフィールド及び第１のタイミングアライメントグループインデックスを端末に送信する。
【０２３１】
そして、ＴＡＧ２、即ち、ｓＴＡＧのサービングセルのアップリンクタイミングは、現在よりＴＡ２ほど遅延される。そのため、基地局は、ＴＡＧ２のサービングセルのアップリンクタイミングが、第２のタイミングアドバンスコマンドフィールドにおける第２のタイミングアライメント値を示すＴＡ２ほど現在より前進するように第２のタイミングアライメント値を設定する。基地局は、ｓＴＡＧを指示するために第２のタイミングアライメントグループインデックスフィールドを０１に設定し、第２のタイミングアドバンスコマンドフィールド及び第２のタイミングアライメントグループインデックスを端末に送信する。
【０２３２】
このとき、第１のタイミングアドバンスコマンドフィールド及び第１のタイミングアライメントグループインデックスフィールドを含むＭＡＣ制御要素、または第２のタイミングアドバンスコマンドフィールド及び第２のタイミングアライメントグループインデックスフィールドを含むＭＡＣ制御要素は、図１８〜図２２のうちいずれか一つの構造を有することができる。
【０２３３】
端末は、基地局が提供する第１及び第２のタイミングアライメント値を利用してＴＡ１及びＴＡ２を計算し、計算したＴＡ１及びＴＡ２に基づいてアップリンクタイミングを調整することができる。調整されるアップリンクタイミング(ＴＡ)は、以下の数式１のように求められることができる。
【０２３４】
【数１】
0005766873.tif 000009
【０２３５】
数式１において、ＮＴＡは、端末でアップリンク無線フレームとダウンリンク無線フレームとの間のタイミングオフセット(ｔｉｍｉｎｇ  ｏｆｆｓｅｔ)であり、Ｔｓ単位で表示される。ＮＴＡは、基地局のタイミングアドバンスコマンドにより可変的に制御され、ＮＴＡ  ｏｆｆｓｅｔは、フレーム構造により固定される値である。Ｔｓは、サンプリング周期である。
【０２３６】
一方、以前のタイミングオフセット(ＮＴＡ−ｏｌｄ)は、タイミングアライメント値(Ｔｉ)により新たなタイミングオフセット(ＮＴＡ−ｎｅｗ)に調整され、ＮＴＡ−ｎｅｗは、数式２のように求められることができる。
【０２３７】
【数２】
0005766873.tif 000010
【０２３８】
数式２を参照すると、Ｔｉは、インデックス値であり、０,１,２,...,６３である。即ち、Ｔｉは、６ビットにより示すことができ、これはタイミングアドバンスコマンドフィールドにより指示される。ここで、ＮＴＡが正(＋)の場合、アップリンクタイミングを前進するように(ａｄｖａｎｃｉｎｇ)調整することを指示し、負(−)の場合、アップリンクタイミングを遅延するように(ｄｅｌａｙｉｎｇ)調整することを指示する。即ち、タイミングアドバンスコマンドフィールドは、以前のアップリンクタイミングに対するアップリンクタイミングの相対的な変化であるタイミングアライメント値を指示する。
【０２３９】
または、タイミングアライメント値は、数式３のように、主サービングセルが含まれているＴＡＧのアップリンクタイミング変化に対して副サービングセルが含まれているＴＡＧのタイミングオフセット(ＮＴＡ)を決定するときに使われることもできる。
【０２４０】
【数３】
0005766873.tif 000011
【０２４１】
数式３を参照すると、ＮＴＡ−ＴＡＧ(Ｓｎ)は、主サービングセル(ＰＣｅｌｌ)を含まず、インデックス値がｎであるタイミングアライメントグループに対するタイミングオフセットであり、ＮＴＡ−ＴＡＧ(ｐ)は、主サービングセル(ＰＣｅｌｌ)を含むタイミングアライメントグループに対するタイミングオフセットである。Ｔｉ−ｎは、インデックス値がｎであるタイミングアライメントグループに対するタイミングアライメント値Ｔｉである。
【０２４２】
端末がサービングセルに対するタイミングアライメント値を最初に受信する場合には、タイミングアライメント値と比較する値がないため、タイミングオフセット(ＮＴＡ)の計算は、数式４のように定義されることができる。
【０２４３】
【数４】
0005766873.tif 000012
【０２４４】
その他の例として、ダウンリンク送信の伝播遅延時間とアップリンク送信の伝播遅延時間が同じ場合、端末は、ダウンリンク送信の伝播遅延時間を利用して全てのサービングセルに対するアップリンクタイミングを調整することもできる。
【０２４５】
図２６は、本発明の一例に係るアップリンク同期を実行する基地局と端末を示すブロック図である。
【０２４６】
図２６を参照すると、端末２６００は、端末受信部２６０５、端末プロセッサ２６１０、及び端末送信部２６２０を含む。また、端末プロセッサ２６１０は、ＲＲＣ処理部２６１１及びＭＡＣ処理部(ＭＡＣ  ｐｒｏｃｅｓｓｉｎｇ  ｕｎｉｔ)２６１２を含む。
【０２４７】
端末受信部２６０５は、基地局２６５０からＰＤＣＣＨ命令に関連したプリアンブル割当情報、タイミングアライメントグループ構成情報、タイミングアドバンスコマンド(ＴＡＣ)のためのＭＡＣ制御要素を含むＭＡＣ  ＰＤＵ、ＲＲＣ接続設定メッセージ、ＲＲＣ接続再構成メッセージ又はコンテンション解決メッセージを受信する。
【０２４８】
ＲＲＣ処理部２６１１は、アシスタント情報、ＲＲＣ接続メッセージ、ＲＲＣ接続再構成完了メッセージを構成し生成する。ここで、アシスタント情報は、端末に構成された少なくとも一つのサービングセルをタイミングアライメントグループ(ＴＡＧ)に分類するときに必要な情報又は基準を提供するための情報である。アシスタント情報は、ＲＲＣ接続再構成完了メッセージ又は別途のメッセージに含まれることもできる。代表サービングセルは、以後ランダムアクセス応答を介して受信されるタイミングアライメント値を適用するために基準となるタイミングリファレンスＤＬ  ＣＣを含むサービングセルである。タイミングアライメントグループ構成情報は、タイミングアライメントグループが構成された状態を記述する。
【０２４９】
ＲＲＣ処理部２６１１は、基地局から受信されたタイミングアライメントグループ構成情報を分析し、端末２６００に構成されたタイミングアライメントグループの個数、各タイミングアライメントグループのインデックス、各タイミングアライメントグループ内のサービングセルのインデックス、及び代表サービングセル情報のうち、少なくとも一つを確認することができる。または、タイミングアライメントグループ構成情報が図９〜図１１のように送信される場合、タイミングアライメントグループ構成情報は、ＭＡＣ処理部２６１２により分析されることができる。
【０２５０】
また、ＭＡＣ処理部２６１２は、アップリンクタイミングの同期のための動作を実行する。アップリンクタイミングの同期のために、ＭＡＣ処理部２６１２は、ランダムアクセス手順によるＭＡＣ  ＲＡＲを受信し、又は識別することもでき、ＭＡＣ階層のシグナリングを受信し、又は識別することもできる。ここで、ＭＡＣ階層のシグナリングは、タイミングアドバンスコマンドのためのＭＡＣ制御要素を有するＭＡＣ  ＰＤＵを含む。
【０２５１】
一例として、ＭＡＣ処理部２６１２は、非コンテンションベース又はコンテンションベースのランダムアクセス手順を処理することができる。一方、ＭＡＣ処理部２６１２は、サービングセルに対するアップリンクタイミング同期を確保するためにランダムアクセスプリアンブルを生成する。生成されるランダムアクセスプリアンブルは、基地局２６５０により割り当てられた専用ランダムアクセスプリアンブルである。複数のタイミングアライメントグループが端末２６００に構成されている場合、ＭＡＣ処理部２６１２は、各タイミングアライメントグループの代表サービングセル上に送信される複数のランダムアクセスプリアンブルを生成することができる。
【０２５２】
ＭＡＣ処理部２６１２は、ＭＡＣ  ＲＡＲフォーマットで構成されたランダムアクセス応答メッセージからＴＡＣを取得することができ、アップリンクタイミングアライメントを実行するためのＴＡＧインデックス情報を取得することができる。
【０２５３】
他の例として、ＭＡＣ処理部２６１２は、端末受信部２６０５により受信されたＭＡＣ  ＰＤＵを識別して分析する。例えば、ＭＡＣ処理部２６１２は、ＭＡＣ  ＰＤＵからヘッダ、ＭＡＣ制御要素及びＭＡＣ  ＳＤＵなどを取得する。ＭＡＣ処理部２６１２は、ＭＡＣヘッダからサブヘッダを取得する。ＭＡＣ処理部２６１２は、サブヘッダからＭＡＣ制御要素に対応するＬＣＩＤフィールドを取得する。ＭＡＣ処理部２６１２は、６ビットのＴＡＧフィールド及び２ビットのＴＡＧインデックスフィールドを取得する。
【０２５４】
より詳しくは、ＭＡＣ処理部２６１２は、ＬＣＩＤフィールドにより指示されるインデックスを分析することによってＭＡＣ  ＣＥのタイプを識別する。ＬＣＩＤフィールドにより指示されるインデックスに基づいて、ＭＡＣ処理部２６１２は、ＭＡＣ  ＣＥがＴＡＣのためのものであることを識別する。例えば、ＭＡＣ処理部２６１２は、ＬＣＩＤインデックスが１１１０１であるかを確認する。もし、ＬＣＩＤフィールドのインデックスが１１１０１に設定される場合、ＭＡＣ処理部２６１２は、ＭＡＣ  ＣＥがアップリンクタイミングアライメントのためのＴＡＣフィールドと、ＴＡＣフィールドにより指示されるタイミングアライメント値が適用されるＴＡＧインデックスフィールドと、を含むことを確認する。即ち、ＭＡＣ処理部２６１２は、ＭＡＣ  ＰＤＵのヘッダ内のサブヘッダに含まれているＬＣＩＤフィールドのインデックスに基づいて、ＭＡＣ制御要素が図１８〜図２０のようにタイミングアドバンスコマンドのためのものであることを確認(又は、決定)する。
【０２５５】
ＭＡＣ処理部２６１２は、ＴＡＧインデックスフィールドＧ１、Ｇ０に基づいてＴＡＧを識別し、ＴＡＣフィールドに基づいてＴＡＶを識別する。ここで、ＴＡＧは、ＴＡＶによってアップリンクタイミング調整を一致して制御するように少なくとも一つのサービングセルを含む。そして、ＴＡＧの最大個数は４個に制限されることができる。以後、ＭＡＣ処理部２６１２は、ＴＡＧインデックスフィールドＧ１、Ｇ０を介してｐＴＡＧ又はｓＴＡＧに対するアップリンクタイミングアライメントを実行するように決定する。例えば、ＴＡＧインデックスフィールドＧ１、Ｇ０が００に設定される場合、ＭＡＣ処理部２６１２は、ｐＴＡＧに対してアップリンクタイミングアライメントを実行する。そしてＭＡＣ処理部２６１２は、ＴＡＧインデックスフィールドＧ１、Ｇ０の２ビットによって定義された４個のＴＡＧを識別することができる。そして、ＭＡＣ処理部２６１２は、ＭＡＣ  ＣＥに含まれているＴＡＣフィールドの指示に対してアップリンクタイミングを調整する。
【０２５６】
ＭＡＣ処理部２６１２は、ＭＡＣ  ＣＥ内のタイミングアドバンスコマンド及びタイミングアライメントグループインデックスフィールドを識別することによって、アップリンクタイミングアライメントを実行し、識別されたタイミングアライメントグループ内の少なくとも一つのサービングセルに対するアップリンクタイミングを、タイミングアドバンスコマンドが指示するタイミングアライメント値によって調整する。
【０２５７】
ＭＡＣ処理部２６１２がタイミングアライメント値に基づいてアップリンクタイミングを調整する例示は、数式１〜数式４のうちいずれか一つである。もし、ＭＡＣ  ＰＤＵ内に複数のタイミングアライメントグループに対するタイミングアドバンスコマンドフィールド及びタイミングアライメントグループインデックスが存在する場合、ＭＡＣ処理部２６１２は、各タイミングアライメントグループ別サービングセルに対するアップリンクタイミングを、そのタイミングアドバンスコマンドが指示するタイミングアライメント値によって調整する。
【０２５８】
端末送信部２６２０は、アシスタント情報、ＲＲＣ接続メッセージ、ＲＲＣ接続再構成完了メッセージ又はランダムアクセスプリアンブルを基地局２６５０に送信する。例えば、端末に構成されたタイミングアライメントグループがＴＡＧ１、ＴＡＧ２であり、ＴＡＧ１＝{第１のサービングセル,第２のサービングセル,第３のサービングセル}、ＴＡＧ２＝{第４のサービングセル,第５のサービングセル}と仮定する。ＴＡＧ１の代表サービングセルが第２のサービングセル、ＴＡＧ２の代表サービングセルが第５のサービングセルの場合、端末送信部２６２０は、第１のランダムアクセスプリアンブルを第２のサービングセル上に送信し、第２のランダムアクセスプリアンブルを第５のサービングセル上に送信する。また、端末送信部２６２０は、ＭＡＣ処理部２６１２により調整されたアップリンクタイミングに基づいて、アップリンク信号を送信することができる。
【０２５９】
基地局２６５０は、基地局送信部２６５５、基地局受信部２６６０、及び基地局プロセッサ２６７０を含む。また、基地局プロセッサ２６７０は、ＲＲＣ処理部２６７１及びＭＡＣ処理部２６７２を含む。
【０２６０】
基地局送信部２６５５は、プリアンブル割当情報、タイミングアライメントグループ構成情報、ランダムアクセス応答メッセージ、タイミングアドバンスコマンドのためのＭＡＣ制御要素を含むＭＡＣ  ＰＤＵ、ＲＲＣ接続完了メッセージ、ＲＲＣ接続再構成メッセージ又はコンテンション解決メッセージを端末２６００に送信する。ランダムアクセス応答メッセージは、Ｃ−ＲＮＴＩでスクランブルされたＰＤＣＣＨにより指示されるＰＤＳＣＨを介して送信される。ここで、Ｃ−ＲＮＴＩは、端末２６００が基地局２６５０と設定したＲＲＣ接続と基地局２６５０により送信されたスケジューリング情報を確認するために、基地局２６５０が端末２６００に割り当てる識別子である。基地局２６５０は、基地局２６５０内のユーザ毎に互いに異なるＣ−ＲＮＴＩ値を割り当てなければならない。各Ｃ−ＲＮＴＩは、端末２６００がＲＲＣ接続のために実行したコンテンションベースのランダムアクセス手順のうち、ランダムアクセス応答を介して臨時Ｃ−ＲＮＴＩの割当を受けてそのランダムアクセス手順が最終成功した時点で、端末２６００は、臨時Ｃ−ＲＮＴＩをＣ−ＲＮＴＩと認識する。ランダムアクセス応答メッセージを指示するＰＤＣＣＨは、代表サービングセル自体又は代表サービングセルに対するスケジューリングセル(ｓｃｈｅｄｕｌｉｎｇ  ｃｅｌｌ)を介して送信されることができる。
【０２６１】
６ビット又は１１ビットのタイミングアドバンスコマンドフィールド及びＴＡＧ  ＩＤ情報を含むＭＡＣ制御要素が送信される。ランダムアクセス応答メッセージを指示するＰＤＣＣＨ及びランダムアクセス応答メッセージは、ランダムアクセスプリアンブルが送信されたＵＬ  ＣＣが含まれている副サービングセルでない他のサービングセルを介して受信することができる。即ち、ランダムアクセス応答が送信されるとき、特定サービングセルに対するスケジューリングに制限を受けずに送信されることができる。
【０２６２】
基地局受信部２６６０は、分類アシスタント情報、ランダムアクセスプリアンブル、ＲＲＣ接続設定関連メッセージ又はＲＲＣ接続再構成関連メッセージを端末２６００から受信する。
【０２６３】
ＲＲＣ処理部２６７１は、ＲＲＣ接続完了メッセージ又はＲＲＣ接続再構成メッセージを構成及び生成する。また、ＲＲＣ処理部２６７１は、タイミングアライメントグループを生成し、タイミングアライメントグループ構成情報を生成する。
【０２６４】
タイミングアライメントグループは、端末２６００に構成される少なくとも一つのサービングセルを含むグループであり、タイミングアライメントグループ内のサービングセルに対しては同じタイミングアライメント値が適用される。一例として、ＲＲＣ処理部２６７１は、端末２６７０に特定するようにタイミングアライメントグループを構成することができる。他の例として、ＲＲＣ処理部２６７１は、セルを特定する手法でタイミングアライメントグループを構成することができる。
【０２６５】
ＭＡＣ処理部２６７２は、可用な全体ランダムアクセスプリアンブルのうち、非コンテンションベースのランダムアクセス手順のために予め予約した専用ランダムアクセスプリアンブルの中から一つを選択し、選択されたランダムアクセスプリアンブルのインデックス及び使用可能な時間/周波数リソース情報を含むプリアンブル割当情報を生成する。
【０２６６】
一例として、ＭＡＣ処理部２６７２は、ランダムアクセス応答メッセージ又はコンテンション解決メッセージを生成する。ＭＡＣ処理部２６７２は、ランダムアクセスプリアンブルが送信された代表サービングセルを確認し、代表サービングセルを含むタイミングアライメントグループを確認する。また、ＭＡＣ処理部２６７２は、図９〜図１１のうちいずれか一つの構造を有するタイミングアライメントグループ構成情報を生成することができる。
【０２６７】
他の例として、ＭＡＣ処理部２６７２は、タイミングアライメントグループに適用される(又は、適した)タイミングアライメント値を決定し、決定されたタイミングアライメント値を指示する６ビットのタイミングアドバンスコマンド(ＴＡＣ)フィールドを生成する。タイミングアドバンスコマンドは、現在アップリンクタイミングに対する相対的なアップリンクタイミングの変化を指示し、サンプリング時間(Ｔｓ)の整数倍、例えば、１６Ｔｓである。タイミングアドバンスコマンドは、特定のインデックスのタイミングアライメント値で表現されることができる。これに、ＭＡＣ処理部２６７２は、生成されたタイミングアドバンスコマンド(ＴＡＣ)フィールド及びそのタイミングアライメントグループ(ＴＡＧ)インデックスフィールドを含むタイミングアドバンスコマンドのためのＭＡＣ制御要素を構成する。
【０２６８】
より具体的に説明すると、ＭＡＣ処理部２６７２は、送信されるＭＡＣ制御要素がタイミングアドバンスコマンドのためのものであることを識別するように、特定のインデックス、例えば、１１１０１をもつＬＣＩＤフィールドを生成（又は設定、又は構成）し、サブヘッダにおいてＬＣＩＤフィールドを含むことによって、サブヘッダを含むヘッダを生成する。ＭＡＣ処理部２６７２は、また、タイミングアドバンスコマンドのためのＭＡＣ制御要素を、ＭＡＣ制御要素においてタイミングアドバンスコマンド(ｔｉｍｉｎｇ  ａｄｖａｎｃｅ  ｃｏｍｍａｎｄ：ＴＡＣ)フィールド及びタイミングアライメントグループ(ＴＡＧ)のインデックスフィールドＧ１、Ｇ０を含むことによって生成する。ＭＡＣ処理部２６７２は、タイミングアライメントグループ(ＴＡＧ)のインデックスフィールドＧ１、Ｇ０の２ビットにより定義される４つのタイミングアライメントグループを識別することができる。また、ＭＡＣ処理部２６７２は、ＴＡＧフィールドＧ１、Ｇ０を‘００’又は‘０’に生成して主サービングセルが含まれることを指示する。
【０２６９】
そして、ＭＡＣ処理部２６７２は、生成されたＭＡＣ  ＣＥ及び生成されたヘッダをＭＡＣ  ＰＤＵにおいて含むことによって、ＭＡＣ  ＰＤＵを生成する。ＭＡＣ処理部２６７２は、タイミングアライメントグループが主サービングセルを含むグループ（ｐＴＡＧ）又は副サービングセルを含むグループ（ｓＴＡＧ）であるかを識別するために、タイミングアライメントグループ(ＴＡＧ)のインデックスフィールドＧ１、Ｇ０を特定の値に生成および設定する。ＭＡＣ  ＰＤＵの構造は、図１７の通りであり、タイミングアドバンスコマンドのためのＭＡＣ制御要素の構造は、図１８〜図２２のうちいずれか一つである。
【０２７０】
本明細書によると、アップリンクタイミング同期の確保及び維持のためにサービングセルに対してタイミングアライメント値（ＴＡＶ）を取得する手順が明確になり、サービングセルに対するアップリンク同期を取得する時間を減らすことができ、複数のサービングセルに対するＴＡＶを取得することによるオーバーヘッドを減らすことができる。
【０２７１】
以上の説明は、本発明の技術思想を例示的に説明したことに過ぎず、本発明が属する技術分野において、通常の知識を有する者であれば、本発明の本質的な特性から外れない範囲で多様な修正及び変形が可能である。したがって、本発明に開示された実施例は、本発明の技術思想を限定するためのものではなく説明するためのものであり、このような実施例によって本発明の技術思想の範囲が限定されるものではない。本発明の保護範囲は、請求範囲によって解釈されなければならず、それと同等な範囲内にある全ての技術思想は、本発明の権利範囲に含まれると解釈されなければならない。
【図１】
0005766873.tif 000013
【図２】
0005766873.tif 000014
【図３】
0005766873.tif 000015
【図４】
0005766873.tif 000016
【図５】
0005766873.tif 000017
【図６】
0005766873.tif 000018
【図７】
0005766873.tif 000019
【図８】
0005766873.tif 000020
【図９】
0005766873.tif 000021
【図１０】
0005766873.tif 000022
【図１１】
0005766873.tif 000023
【図１２】
0005766873.tif 000024
【図１３】
0005766873.tif 000025
【図１４】
0005766873.tif 000026
【図１５】
0005766873.tif 000027
【図１６】
0005766873.tif 000028
【図１７】
0005766873.tif 000029
【図１８】
0005766873.tif 000030
【図１９】
0005766873.tif 000031
【図２０】
0005766873.tif 000032
【図２１】
0005766873.tif 000033
【図２２】
0005766873.tif 000034
【図２３】
0005766873.tif 000035
【図２４】
0005766873.tif 000036
【図２５】
0005766873.tif 000037
【図２６】
0005766873.tif 000038